(57)【要約】本発明は、リンク再確立方法、装置、およびシステムを開示する。本方法は、ユーザ機器ＵＥによって、ＮＡＳ完全性鍵と第１のＭＡＣ生成パラメータとに基づいて、ＵＥのＭＡＣを取得するステップであって、第１のＭＡＣ生成パラメータは、ＵＥの識別子を含む、ステップと、ＵＥによって、ターゲットＲＡＮに再確立要求メッセージを送信するステップであって、再確立要求メッセージは、ＭＡＣと第１のＭＡＣ生成パラメータとを含む、ステップと、ＵＥによって、ターゲットＲＡＮの再確立応答メッセージを受信するステップとを含む。ＵＥは、再確立要求メッセージを送信することによって、ＵＥに対する認証を実施するようにＣＰ機能エンティティをトリガする。これは、ＲＡＵプロシージャを使用することによって、ターゲットＲＡＮへの接続を再確立するために過剰に長い時間が消費されるという従来技術の問題を解決し、ＵＥとネットワークとの間の接続を再確立する速度を上げ、ユーザ体験を改善する。
2020503787.tif 000002
【特許請求の範囲】
【請求項１】
ユーザ機器ＵＥによって、前記ＵＥのＭＡＣを、非アクセス層ＮＡＳ完全性鍵と第１のメッセージ認証コードＭＡＣ生成パラメータとに基づいて取得するステップと、
前記ＵＥによって、ターゲット無線アクセスノードＲＡＮに再確立要求メッセージを送信するステップであって、前記再確立要求メッセージは、前記ＭＡＣと第２のＭＡＣ生成パラメータとを備える、ステップと、
前記ＵＥによって、前記ターゲットＲＡＮから再確立応答メッセージを受信するステップと
を含むリンク再確立方法。
【請求項２】
前記第１のＭＡＣ生成パラメータは、ＮＡＳカウントを備え、前記第２のＭＡＣ生成パラメータは、前記ＮＡＳカウントの部分フィールドを備える請求項１に記載の方法。
【請求項３】
前記再確立要求メッセージは、無線リソース制御ＲＲＣ接続再確立要求メッセージであり、前記再確立応答メッセージは、ＲＲＣ接続再確立メッセージである請求項１または２に記載の方法。
【請求項４】
制御プレーンＣＰ機能エンティティによって、ターゲット無線アクセスノードＲＡＮによって送信された第３のメッセージを受信するステップであって、前記第３のメッセージは、第２のメッセージ認証コードＭＡＣ生成パラメータとユーザ機器ＵＥのＭＡＣとを備え、前記第３のメッセージは、再確立要求メッセージに基づいて前記ターゲットＲＡＮによって送信される、ステップと、
前記ＣＰ機能エンティティによって、前記第３のメッセージに基づいて前記ＭＡＣを検証するステップと、
前記ＭＡＣの検証が成功したとき、前記ＣＰ機能エンティティによって、前記ターゲットＲＡＮに前記ＵＥのコンテキストを送信するステップと
を含むリンク再確立方法。
【請求項５】
前記第２のＭＡＣ生成パラメータは、非アクセス層ＮＡＳカウントの部分フィールドを備える請求項４に記載の方法。
【請求項６】
前記第２のＭＡＣ生成パラメータは、前記ＵＥの識別子を備え、前記ＣＰ機能エンティティによって、前記第３のメッセージに基づいて前記ＭＡＣを検証する前記ステップは、
前記ＣＰ機能エンティティによって、前記第２のＭＡＣ生成パラメータ中の前記ＵＥの前記識別子に基づいて、前記ＵＥのＮＡＳ完全性鍵を取得するステップと、
前記ＣＰ機能エンティティによって、前記ＵＥの前記ＮＡＳ完全性鍵と前記第２のＭＡＣ生成パラメータとに基づいて、前記ＭＡＣを検証するステップと
を含む請求項４または５に記載の方法。
【請求項７】
前記方法は、
前記ＭＡＣの検証が成功したとき、前記ＣＰ機能エンティティによって、ソースＲＡＮに第５のメッセージを送信するステップであって、前記第５のメッセージは、前記ＣＰ機能エンティティに前記ＵＥのデータを送信することを前記ソースＲＡＮに要求するために使用される、ステップ
をさらに含む請求項４乃至６のいずれか一項に記載の方法。
【請求項８】
前記方法は、
前記ＣＰ機能エンティティによって、前記ソースＲＡＮから前記ＵＥのデータを受信するステップと、
前記ＣＰ機能エンティティによって、前記ターゲットＲＡＮを通して前記ＵＥに前記ＵＥの前記データを送信するステップと
をさらに含む請求項７に記載の方法。
【請求項９】
前記ＣＰ機能エンティティは、モビリティ管理エンティティＭＭＥである請求項４乃至８のいずれか一項に記載の方法。
【請求項１０】
ソース無線アクセスノードＲＡＮによって、制御プレーンＣＰ機能エンティティによって送信された第５のメッセージを受信するステップであって、前記第５のメッセージは、前記ＣＰ機能エンティティに前記ＵＥのデータを送信することを前記ソースＲＡＮに要求するために使用される、ステップと、
前記ソースＲＡＮによって、前記ソースＲＡＮに記憶された前記ＵＥのデータを前記ＣＰ機能エンティティに送信するステップと
を含むリンク再確立方法。
【請求項１１】
前記第５のメッセージは、前記ＵＥの識別子を備え、前記方法は、
前記ソースＲＡＮによって、前記ＵＥの前記識別子に基づいて前記ＵＥの前記コンテキストを削除するステップ
をさらに含む請求項１０に記載の方法。
【請求項１２】
前記ＣＰ機能エンティティは、モビリティ管理エンティティＭＭＥである請求項１０または１１に記載の方法。
【請求項１３】
制御プレーンＣＰ機能エンティティとターゲット無線アクセスノードＲＡＮとを備える通信システムであって、
前記ターゲットＲＡＮは、ユーザ機器ＵＥから再確立要求メッセージを受信し、前記再確立要求メッセージに基づいて前記ＣＰ機能エンティティに第３のメッセージを送信するように構成され、前記再確立要求メッセージは、第２のメッセージ認証コードＭＡＣ生成パラメータと前記ＵＥのＭＡＣとを備え、前記第３のメッセージは、前記第２のＭＡＣ生成パラメータと前記ＭＡＣとを備え、
前記ＣＰ機能エンティティは、前記ターゲットＲＡＮから前記第３のメッセージを受信し、前記第３のメッセージに基づいて前記ＭＡＣを検証し、前記ＭＡＣの検証が成功したとき、前記ターゲットＲＡＮに前記ＵＥのコンテキストを送信するように構成され、
前記ターゲットＲＡＮは、前記ＵＥの前記コンテキストを受信し、前記ＵＥに再確立応答メッセージを送信するようにさらに構成された
通信システム。
【請求項１４】
前記第２のＭＡＣ生成パラメータは、前記ＵＥの識別子を備え、前記第３のメッセージに基づいて前記ＭＡＣを前記検証することは、
前記第２のＭＡＣ生成パラメータ中の前記ＵＥの前記識別子に基づいて、前記ＵＥの非アクセス層ＮＡＳ完全性鍵を取得することと、
前記ＵＥの前記ＮＡＳ完全性鍵と前記第２のＭＡＣ生成パラメータとに基づいて、前記ＭＡＣを検証することと
を含む請求項１３に記載の通信システム。
【請求項１５】
前記通信システムは、前記ＵＥをさらに備え、
前記ＵＥは、ＮＡＳ完全性鍵と第１のＭＡＣ生成パラメータとに基づいて、前記ＵＥの前記ＭＡＣを取得し、前記ターゲットＲＡＮに前記再確立要求メッセージを送信するように構成された
請求項１３または１４に記載の通信システム。
【請求項１６】
前記第１のＭＡＣ生成パラメータは、非アクセス層ＮＡＳカウントを備える請求項１５に記載の通信システム。
【請求項１７】
前記第２のＭＡＣ生成パラメータは、前記ＮＡＳカウントの部分フィールドを備える請求項１６に記載の通信システム。
【請求項１８】
前記再確立要求メッセージは、無線リソース制御ＲＲＣ接続再確立要求メッセージであり、前記再確立応答メッセージは、ＲＲＣ接続再確立メッセージである請求項１３乃至１７のいずれか一項に記載の通信システム。
【請求項１９】
前記通信システムは、ソースＲＡＮをさらに備え、
前記ＣＰ機能エンティティは、前記ＭＡＣの検証が成功したとき、前記ソースＲＡＮに第５のメッセージを送信するようにさらに構成され、前記第５のメッセージは、前記ＣＰ機能エンティティに前記ＵＥのデータを送信することを前記ソースＲＡＮに要求するために使用され、
前記ソースＲＡＮは、前記ソースＲＡＮに記憶された前記ＵＥのデータを前記ＣＰ機能エンティティに送信するように構成された
請求項１３乃至１８のいずれか一項に記載の通信システム。
【請求項２０】
前記第５のメッセージは、前記ＵＥの識別子を備え、
前記ソースＲＡＮは、前記ＵＥの前記識別子に基づいて前記ＵＥの前記コンテキストを削除するようにさらに構成された
請求項１９に記載の通信システム。
【請求項２１】
プロセッサと、メモリと、トランシーバとを備えるユーザ機器であって、
前記メモリは、プログラムを記憶するように構成され、
前記プロセッサは、前記メモリに記憶された前記プログラムを実行し、請求項１乃至３のいずれか一項に記載の前記方法を実施するように構成された、
ユーザ機器。
【請求項２２】
プロセッサと、メモリと、通信インターフェースとを備える制御プレーンＣＰ機能エンティティであって、
前記メモリは、プログラムを記憶するように構成され、
前記プロセッサは、前記メモリに記憶された前記プログラムを実行し、請求項４乃至９のいずれか一項に記載の前記方法を実施するように構成された、
制御プレーンＣＰ機能エンティティ。
【請求項２３】
プロセッサと、メモリと、通信インターフェースとを備えるソース無線アクセスノードＲＡＮであって、
前記メモリは、プログラムを記憶するように構成され、
前記プロセッサは、前記メモリに記憶された前記プログラムを実行し、請求項１０乃至１２のいずれか一項に記載の前記方法を実施するように構成された、
ソース無線アクセスノードＲＡＮ。
【発明の詳細な説明】
【技術分野】
【０００１】
本発明は、モバイル通信技術に関し、特に、リンク再確立方法、装置、およびシステムに関する。
【背景技術】
【０００２】
第３世代パートナーシッププロジェクト（英語：３ｒｄ  Ｇｅｎｅｒａｔｉｏｎ  Ｐａｒｔｎｅｒｓｈｉｐ  Ｐｒｏｊｅｃｔ、３ＧＰＰ）は、狭帯域モノのインターネット（英語：Ｎａｒｒｏｗｂａｎｄ  Ｉｎｔｅｒｎｅｔ  ｏｆ  Ｔｈｉｎｇｓ、ＮＢ−ＩｏＴ）プロジェクトリサーチを展開し、全体的アーキテクチャを向上させることによって、極めて低い複雑さ、限られた電力、および低いデータレートのモノのインターネットデバイスをサポートする。
【０００３】
水量計、電力量計、またはセンサーなど、ユーザ機器（ｕｓｅｒ  ｅｑｕｉｐｍｅｎｔ、ＵＥ）は、主に、小さいボリュームのメーター示度データまたは監視データを送信し、たとえば、通常、ほんの数十から数百バイトのデータを送信し、大きい間隔でデータを送信する。したがって、伝送リソース浪費を回避するために、ＵＥのデータパケットは、非アクセス層（英語：Ｎｏｎ−Ａｃｃｅｓｓ  Ｓｔｒａｔｕｍ、ＮＡＳ）メッセージにカプセル化され、ＵＥは、無線リソース制御（ｒａｄｉｏ  ｒｅｓｏｕｒｃｅ  ｃｏｎｔｒｏｌ、ＲＲＣ）メッセージを使用することによって、無線アクセスノード（ｒａｄｉｏ  ａｃｃｅｓｓ  ｎｏｄｅ、ＲＡＮ）にＮＡＳメッセージを送信し、次いで、ＲＡＮは、コアネットワークの制御プレーン（ｃｏｎｔｒｏｌ  ｐｌａｎｅ、ＣＰ）機能エンティティにＮＡＳメッセージを送信する。ＣＰ機能エンティティは、ＮＡＳメッセージのためのベアラを確立するのではなく、煩雑なシグナリング対話を実施することなしに、コアネットワークのユーザプレーン（ｕｓｅｒ  ｐｌａｎｅ、ＵＰ）機能エンティティにＮＡＳメッセージを直接伝送する。
【０００４】
上記の伝送方式では、ＵＥとＲＡＮとの間のＲＲＣ接続が、フォールト、たとえば、ＵＥと現在のＲＡＮとの間の弱い信号によって引き起こされた無線リンク障害（ｒａｄｉｏ  ｌｉｎｋ  ｆａｉｌｕｒｅ、ＲＬＦ）に遭遇したとき、ＵＥは、より強い信号のＲＡＮに接続し、トラッキングエリア更新（ｔｒａｃｋｉｎｇ  ａｒｅａ  ｕｐｄａｔｅ、ＴＡＵ）プロシージャを使用することによって、ＣＰ機能エンティティへの接続を再確立する。特に、ＵＥがＲＬＦを検出したとき、ＵＥはアイドル（ＩＤＬＥ）状態に再び入り、次いで、ＵＥは、トラッキングエリア更新（ｔｒａｃｋｉｎｇ  ａｒｅａ  ｕｐｄａｔｅ、ＴＡＵ）プロシージャを使用することによって、ＣＰ機能エンティティへの接続を再確立する。上記の処理では、シグナリング対話プロシージャは、複雑であり、長い時間および大きい電力量を消費する。さらに、ＵＥはソースＲＡＮから直接切断するので、データパケットロスが引き起こされ、サービス継続性に影響を及ぼし得る。
【発明の概要】
【０００５】
本発明の実施形態は、ＵＥとターゲットＲＡＮとの間のリンクの迅速な再確立を実装するための、リンク再確立方法、装置、およびシステムを提供する。
【０００６】
第１の態様によれば、リンク再確立方法が提供され、本方法はＵＥによって、非アクセス層ＮＡＳ完全性鍵と第１のメッセージ認証コードＭＡＣ生成パラメータとに基づいて、ＵＥのＭＡＣを取得するステップであって、第１のＭＡＣ生成パラメータは、ＵＥの識別子を含む、ステップと、ＵＥによって、ターゲット無線アクセスノードＲＡＮに再確立要求メッセージを送信するステップであって、再確立要求メッセージは、ＭＡＣと第１のＭＡＣ生成パラメータとを含む、ステップと、ＵＥによって、ターゲットＲＡＮの再確立応答メッセージを受信するステップとを含む。ＵＥは、ターゲットＲＡＮに再確立要求メッセージを送信し、したがって、ターゲットＲＡＮは、再確立要求メッセージに基づいて第２のＭＡＣ生成パラメータとＭＡＣとをＣＰ機能エンティティに送信し、次いで、ＣＰ機能エンティティは、受信された情報に基づいてＭＡＣを検証し、それにより、ＵＥに対する認証を実施し、ネットワークセキュリティを保証する。さらに、ＵＥは、再確立要求メッセージを送信することによって、ＵＥに対する認証を実施するようにＣＰ機能エンティティをトリガする。これは、ＲＡＵプロシージャを使用することによって、ＲＡＮへの接続を再確立するために過剰に長い時間が消費されるという従来技術の問題を解決し、ＵＥとネットワークとの間の接続を再確立する速度を上げ、ユーザ体験を改善する。
【０００７】
第２の態様によれば、ターゲットＲＡＮによって、ＵＥによって送信された再確立要求メッセージを受信するステップであって、再確立要求メッセージは、ＵＥのＭＡＣと第１のＭＡＣ生成パラメータとを含み、第１のＭＡＣ生成パラメータは、ＵＥの識別子を含む、ステップと、ターゲットＲＡＮによって、再確立要求メッセージに基づいてソースＲＡＮに第１のメッセージを送信するステップであって、第１のメッセージは、第２のＭＡＣ生成パラメータとＭＡＣとを含む、ステップと、ターゲットＲＡＮによって、ソースＲＡＮによって送信されたＵＥのコンテキストを受信するステップと、ＵＥに再確立応答メッセージを送信するステップとを含むリンク再確立方法が提供される。ターゲットＲＡＮは、ＵＥによって送信された再確立要求メッセージに基づいて、第２のＭＡＣ生成パラメータとＭＡＣとをＣＰ機能エンティティに送信し、したがって、ＣＰ機能エンティティは、受信された情報に基づいてＭＡＣの完全性を検証し、再確立要求メッセージに対する有効性検証を実施する。これは、再確立要求メッセージが、偽造、改ざん、またはリプレイされるのを防ぎ、ネットワークセキュリティを保証する。さらに、ＭＡＣの検証が成功したとき、ターゲットＲＡＮは、ソースＲＡＮによって送信されたＵＥのコンテキストを受信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【０００８】
第２の態様に関して、第２の態様の第１の実装では、第２のＭＡＣ生成パラメータは、第１のＭＡＣ生成パラメータと同じであるか、または第２のＭＡＣ生成パラメータは、第１のＭＡＣ生成パラメータとＵＥのターゲット物理セル識別子ＰＣＩとを含む。
【０００９】
第２の態様または第２の態様の第１の実装に関して、第２の態様の第２の実装では、再確立要求メッセージは、ＵＥのソースＰＣＩをさらに含むか、または第１のＭＡＣ生成パラメータは、ＵＥのソースＰＣＩを含む。
【００１０】
上記の第１の態様、第２の態様、または第２の態様の上記の実装のうちのいずれか１つに関して、第１のＭＡＣ生成パラメータは、ＮＡＳパラメータとＲＲＣパラメータのうちの少なくとも１つを含む。ＮＡＳパラメータはＮＡＳカウントであり得、ＲＲＣパラメータは、ＵＥのソースＰＣＩであり得る。
【００１１】
第３の態様によれば、ソースＲＡＮによって、ターゲットＲＡＮによって送信された第１のメッセージを受信するステップであって、第１のメッセージは、ＵＥのＭＡＣと第２のＭＡＣ生成パラメータとを含み、第２のＭＡＣ生成パラメータは、ＵＥの識別子を含む、ステップと、ソースＲＡＮによって、第１のメッセージに基づいて制御プレーン機能エンティティに第２のメッセージを送信するステップであって、第２のメッセージは、第２のＭＡＣ生成パラメータとＭＡＣとを含む、ステップと、ソースＲＡＮによって、制御プレーン機能エンティティによって送信されたＭＡＣの検証結果を受信するステップと、検証結果が、ＭＡＣの検証が成功したことを示すとき、ソースＲＡＮによって、ターゲットＲＡＮにＵＥのコンテキストを送信するステップとを含むリンク再確立方法が提供される。ＣＰ機能エンティティによって送信されたＭＡＣの検証結果に基づいて、ＭＡＣの検証が成功したと決定したとき、ソースＲＡＮは、ターゲットＲＡＮにＵＥのコンテキストを送信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【００１２】
第３の態様に関して、第３の態様の第１の実装では、本方法は、ソースＲＡＮによって、ソースＲＡＮに記憶されたＵＥのデータを制御プレーン機能エンティティに送信するステップをさらに含む。
【００１３】
第４の態様によれば、制御プレーン機能エンティティによって、ソース無線アクセスノードＲＡＮによって送信された第２のメッセージを受信するステップであって、第２のメッセージは、ユーザ機器ＵＥのメッセージ認証コードＭＡＣと第２のＭＡＣ生成パラメータとを含み、第２のＭＡＣ生成パラメータは、ＵＥの識別子を含む、ステップと、制御プレーン機能エンティティによって、第２のメッセージに基づいてＭＡＣを検証するステップと、制御プレーン機能エンティティによって、ソースＲＡＮにＭＡＣの検証結果を送信するステップとを含むリンク再確立方法が提供される。ＣＰ機能エンティティは、ＭＡＣの完全性を検証することによって、ＭＡＣを検証し、再確立要求メッセージに対する有効性検証を実施する。これは、再確立要求メッセージが、偽造、改ざん、またはリプレイされるのを防ぎ、ネットワークセキュリティを保証する。さらに、ＣＰ機能エンティティは、ソースＲＡＮにＭＡＣの検証結果を送信し、ターゲットＲＡＮにＵＥのコンテキストを送信するようにソースＲＡＮをトリガする。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【００１４】
第４の態様に関して、第４の態様の第１の実装では、制御プレーン機能エンティティによって、第２のメッセージに基づいてＭＡＣを検証するステップは、制御プレーン機能エンティティによって、第２のメッセージに基づいてＵＥの非アクセス層ＮＡＳ完全性鍵を取得するステップと、制御プレーン機能エンティティによって、ＮＡＳ完全性鍵と第２のＭＡＣ生成パラメータとに基づいて、ＭＡＣを検証するステップとを含む。
【００１５】
第５の態様によれば、ターゲットＲＡＮによって、ＵＥによって送信された再確立要求メッセージを受信するステップであって、再確立要求メッセージは、ＵＥのＭＡＣと第１のＭＡＣ生成パラメータとを含み、第１のＭＡＣ生成パラメータは、ＵＥの識別子を含む、ステップと、ターゲットＲＡＮによって、再確立要求メッセージに基づいて制御プレーン機能エンティティに第３のメッセージを送信するステップであって、第３のメッセージは、第２のＭＡＣ生成パラメータとＭＡＣとを含む、ステップと、ターゲットＲＡＮによって、ＵＥのコンテキストを受信するステップと、ターゲットＲＡＮによって、ＵＥのコンテキストに基づいてＵＥに再確立応答メッセージを送信するステップとを含むリンク再確立方法が提供される。ターゲットＲＡＮは、ＵＥによって送信された第１のＭＡＣ生成パラメータとＭＡＣとを受信し、第２のＭＡＣ生成パラメータとＭＡＣとをＣＰ機能エンティティに送信し、したがって、ＣＰ機能エンティティは、ＭＡＣを検証し、それによって、ネットワークセキュリティを保証する。さらに、ＭＡＣの検証が成功した後、ターゲットＲＡＮは、ソースＲＡＮまたはＣＰ機能エンティティによって送信されたＵＥのコンテキストを受信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【００１６】
第５の態様に関して、第５の態様の第１の実装では、第２のＭＡＣ生成パラメータは、第１のＭＡＣ生成パラメータと同じであるか、または第２のＭＡＣ生成パラメータは、第１のＭＡＣ生成パラメータとＵＥのターゲット物理セル識別子ＰＣＩとを含む。
【００１７】
第５の態様または第５の態様の第１の実装に関して、第５の態様の第２の実装では、第１のＭＡＣ生成パラメータは非アクセス層ＮＡＳパラメータを含む。ＮＡＳパラメータはＮＡＳカウントを含み得る。
【００１８】
第５の態様、または第５の態様の第１の実装もしくは第２の実装に関して、第５の態様の第３の実装では、ターゲットＲＡＮによって、再確立要求メッセージに基づいて制御プレーン機能エンティティに第３のメッセージを送信するステップは、ターゲットＲＡＮによって、ＵＥの識別子に基づいて制御プレーン機能エンティティの識別子を取得するステップと、ターゲットＲＡＮによって、制御プレーン機能エンティティの識別子に基づいて制御プレーン機能エンティティに第３のメッセージを送信するステップとを含む。
【００１９】
第５の態様または第５の態様の上記の実装のうちのいずれか１つに関して、第５の態様の第４の実装では、ターゲットＲＡＮによって、ＵＥのコンテキストを受信するステップは、ターゲットＲＡＮによって、制御プレーン機能エンティティによって送信されたＵＥのコンテキストを受信するステップ、またはターゲットＲＡＮによって、ソースＲＡＮによって送信されたＵＥのコンテキストを受信するステップを含む。
【００２０】
第５の態様の第４の実装に関して、第５の態様の第５の実装では、ターゲットＲＡＮによって、ソースＲＡＮによって送信されたＵＥのコンテキストを受信するステップの前に、本方法は、ターゲットＲＡＮによって、制御プレーン機能エンティティによって送信された第４のメッセージを受信するステップであって、第４のメッセージは、ＵＥの識別子と、ソースＲＡＮのトークンと、ソースＲＡＮの識別子とを含む、ステップと、ターゲットＲＡＮによって、ソースＲＡＮの識別子に基づいてトークンとＵＥの識別子とをソースＲＡＮに送信するステップとをさらに含む。
【００２１】
第６の態様によれば、ソースＲＡＮによって、ターゲットＲＡＮによって送信されたＵＥの識別子とソースＲＡＮのトークンとを受信するステップと、ソースＲＡＮに記憶されたトークンが、ターゲットＲＡＮによって送信されたトークンと同じであるとき、ソースＲＡＮによって、ターゲットＲＡＮにＵＥのコンテキストを送信するステップとを含むリンク再確立方法が提供される。トークンの検証が成功した後、ソースＲＡＮは、ターゲットＲＡＮにＵＥのコンテキストを直接送信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。さらに、トークンの検証はネットワークセキュリティを保証する。
【００２２】
第６の態様に関して、第６の態様の第１の実装では、本方法は、ソースＲＡＮに記憶されたトークンが、ターゲットＲＡＮによって送信されたトークンと同じであるとき、ソースＲＡＮによって、ソースＲＡＮに記憶されたＵＥのデータを制御プレーン機能エンティティに送信するステップをさらに含む。
【００２３】
第７の態様によれば、ソースＲＡＮによって、制御プレーン機能エンティティによって送信された第５のメッセージを受信するステップであって、第５のメッセージは、ユーザ機器ＵＥの識別子を含む、ステップと、ソースＲＡＮによって、ＵＥの識別子に基づいてＵＥのコンテキストを削除するステップとを含むリンク再確立方法が提供される。
【００２４】
第７の態様に関して、第７の態様の第１の実装では、第５のメッセージは、制御プレーン機能エンティティにＵＥのデータを送信することをソースＲＡＮに要求するために使用され、本方法は、ソースＲＡＮによって、ソースＲＡＮに記憶されたＵＥのデータを制御プレーン機能エンティティに送信するステップをさらに含む。
【００２５】
第８の態様によれば、制御プレーン機能エンティティによって、ターゲットＲＡＮによって送信された第３のメッセージを受信するステップであって、第３のメッセージは、ＵＥのＭＡＣと第２のＭＡＣ生成パラメータとを含み、第２のＭＡＣ生成パラメータは、ＵＥの識別子を含む、ステップと、制御プレーン機能エンティティによって、第３のメッセージに基づいてＭＡＣを検証するステップと、ＭＡＣの検証が成功したとき、制御プレーン機能エンティティによって、ＵＥのコンテキストまたは第４のメッセージをターゲットＲＡＮに送信するステップであって、第４のメッセージは、ＵＥの識別子と、ソースＲＡＮのトークンと、ソースＲＡＮの識別子とを含む、ステップとを含むリンク再確立方法が提供される。ＣＰ機能エンティティは、第２のＭＡＣ生成パラメータに基づいてＭＡＣを検証し、再確立要求メッセージに対する有効性検証を実施する。これは、再確立要求メッセージが、偽造、改ざん、またはリプレイされるのを防ぎ、ネットワークセキュリティを保証する。さらに、ＣＰ機能エンティティは、ＭＡＣの検証が成功した後、ターゲットＲＡＮにＵＥのコンテキストを送信するか、またはＣＰ機能エンティティは、ＭＡＣの検証が成功した後、ターゲットＲＡＮに第４のメッセージを送信し、したがって、ターゲットＲＡＮは、ソースＲＡＮにトークンを送信し、次いで、ソースＲＡＮは、トークンの検証が成功した後、ターゲットＲＡＮにＵＥのコンテキストを送信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【００２６】
第８の態様に関して、第８の態様の第１の実装では、本方法は、ＭＡＣの検証が成功したとき、制御プレーン機能エンティティによって、ソースＲＡＮに第５のメッセージを送信するステップであって、第５のメッセージは、ＵＥの識別子を含む、ステップをさらに含む。
【００２７】
第８の態様の第１の実装に関して、第８の態様の第２の実装では、第５のメッセージは、制御プレーン機能エンティティにＵＥのデータを送信することをソースＲＡＮに要求するために使用される。
【００２８】
第８の態様または第８の態様の上記の実装のうちのいずれか１つに関して、第８の態様の第３の実装では、本方法は、制御プレーン機能エンティティによって、ソースＲＡＮによって送信されたＵＥのデータを受信するステップをさらに含む。
【００２９】
第８の態様または第８の態様の上記の実装のうちのいずれか１つに関して、第８の態様の第４の実装では、第２のＭＡＣ生成パラメータはＮＡＳパラメータをさらに含むか、または第２のＭＡＣ生成パラメータは、ＮＡＳパラメータとＵＥのターゲット物理セル識別子ＰＣＩとをさらに含む。ＮＡＳパラメータはＮＡＳカウントであり得る。
【００３０】
第５の態様、第６の態様、第７の態様、第８の態様、または上記の態様の実装のうちのいずれか１つに関して、ＵＥの識別子は、ＳＡＥ一時モバイル加入者識別Ｓ−ＴＭＳＩおよびグローバル一意一時識別ＧＵＴＩのうちの少なくとも１つを含む。
【００３１】
第９の態様によれば、ＮＡＳ完全性鍵と第１のメッセージ認証コードＭＡＣ生成パラメータとに基づいて、ＵＥのＭＡＣを取得するように構成された処理ユニットであって、第１のＭＡＣ生成パラメータは、ＵＥの識別子を含む、処理ユニットと、ターゲット無線アクセスノードＲＡＮに再確立要求メッセージを送信するように構成されたトランシーバユニットであって、再確立要求メッセージは、ＭＡＣと第１のＭＡＣ生成パラメータとを含む、トランシーバユニットとを含み、トランシーバユニットは、ターゲットＲＡＮの再確立応答メッセージを受信するようにさらに構成された、ＵＥが提供される。
【００３２】
第１０の態様によれば、ＵＥによって送信された再確立要求メッセージを受信するように構成された第１の受信ユニットであって、再確立要求メッセージは、ＵＥのＭＡＣと第１のＭＡＣ生成パラメータとを含み、第１のＭＡＣ生成パラメータは、ＵＥの識別子を含む、第１の受信ユニットと、第１の受信ユニットによって受信された再確立要求メッセージに基づいて、ソースＲＡＮに第１のメッセージを送信するように構成された送信ユニットであって、第１のメッセージは、第２のＭＡＣ生成パラメータとＭＡＣとを含む、送信ユニットと、ソースＲＡＮによって送信されたＵＥのコンテキストを受信し、送信ユニットを使用することによって、ＵＥに再確立応答メッセージを送信するように構成された第２の受信ユニットとを含むターゲットＲＡＮが提供される。
【００３３】
第１０の態様に関して、第１０の態様の第１の実装では、第２のＭＡＣ生成パラメータは、第１のＭＡＣ生成パラメータと同じであるか、または第２のＭＡＣ生成パラメータは、第１のＭＡＣ生成パラメータとＵＥのターゲット物理セル識別子ＰＣＩとを含む。
【００３４】
第１１の態様によれば、ターゲットＲＡＮによって送信された第１のメッセージを受信するように構成された受信ユニットであって、第１のメッセージは、ＵＥのＭＡＣと第２のＭＡＣ生成パラメータとを含み、第２のＭＡＣ生成パラメータは、ＵＥの識別子を含む、受信ユニットと、受信ユニットによって受信された第１のメッセージに基づいて、制御プレーン機能エンティティに第２のメッセージを送信するように構成された第１の送信ユニットであって、第２のメッセージは、第２のＭＡＣ生成パラメータとＭＡＣとを含み、受信ユニットは、制御プレーン機能エンティティによって送信されたＭＡＣの検証結果を受信するように構成された、第１の送信ユニットと、検証結果が、ＭＡＣの検証が成功したことを示すとき、ターゲットＲＡＮにＵＥのコンテキストを送信するように構成された第２の送信ユニットとを含むソースＲＡＮが提供される。
【００３５】
第１１の態様に関して、第１１の態様の第１の実装では、第１の送信ユニットは、ソースＲＡＮに記憶されたＵＥのデータを制御プレーン機能エンティティに送信するようにさらに構成される。
【００３６】
第１２の態様によれば、ソースＲＡＮによって送信された第２のメッセージを受信するように構成された受信ユニットであって、第２のメッセージは、ＵＥのＭＡＣと第２のＭＡＣ生成パラメータとを含み、第２のＭＡＣ生成パラメータは、ＵＥの識別子を含む、受信ユニットと、受信ユニットによって受信された第２のメッセージに基づいて、ＭＡＣを検証するように構成された検証ユニットと、ソースＲＡＮにＭＡＣの検証結果を送信するように構成された送信ユニットとを含む制御プレーン機能エンティティが提供される。
【００３７】
第１２の態様に関して、第１２の態様の第１の実装では、検証ユニットは、第２のメッセージに基づいてＵＥのＮＡＳ完全性鍵を取得し、ＮＡＳ完全性鍵と第２のＭＡＣ生成パラメータとに基づいて、ＭＡＣを検証するように特に構成される。
【００３８】
第１２の態様または第１２の態様の第１の実装に関して、第１２の態様の第２の実装では、第２のＭＡＣ生成パラメータは、ＮＡＳパラメータおよびＲＲＣパラメータのうちの少なくとも１つをさらに含むか、または第２のＭＡＣ生成パラメータは、ＮＡＳパラメータおよびＲＲＣパラメータのうちの少なくとも１つと、ＵＥのターゲット物理セル識別子ＰＣＩとをさらに含む。ＮＡＳパラメータはＮＡＳカウントを含み得る。
【００３９】
第１２の態様または第１２の態様の上記の実装のうちのいずれか１つに関して、第１２の態様の第３の実装では、受信ユニットは、ソースＲＡＮによって送信されたＵＥのデータを受信するようにさらに構成され、送信ユニットは、ターゲットＲＡＮにＵＥのデータを送信するようにさらに構成される。
【００４０】
上記の第９の態様から第１２の態様、または第９の態様から第１２の態様の上記の実装のうちのいずれか１つに関して、ＵＥの識別子は、ソースＣ−ＲＮＴＩ、Ｓ−ＴＭＳＩ、およびＧＵＴＩのうちの少なくとも１つを含み得る。
【００４１】
第１３の態様によれば、ＵＥによって送信された再確立要求メッセージを受信するように構成された第１の受信ユニットであって、再確立要求メッセージは、ＵＥのＭＡＣと第１のＭＡＣ生成パラメータとを含み、第１のＭＡＣ生成パラメータは、ＵＥの識別子を含む、第１の受信ユニットと、第１の受信ユニットによって受信された再確立要求メッセージに基づいて、制御プレーン機能エンティティに第３のメッセージを送信するように構成された送信ユニットであって、第３のメッセージは、第２のＭＡＣ生成パラメータとＭＡＣとを含む、送信ユニットと、ＵＥのコンテキストを受信し、送信ユニットを使用することによって、ＵＥに再確立応答メッセージを送信するように構成された第２の受信ユニットとを含むターゲットＲＡＮが提供される。ターゲットＲＡＮは、ＵＥによって送信された受信された再確立要求メッセージに基づいて、第３のメッセージを送信する。
【００４２】
第１３の態様に関して、第１３の態様の第１の実装では、第２のＭＡＣ生成パラメータは、第１のＭＡＣ生成パラメータと同じであるか、または第２のＭＡＣ生成パラメータは、第１のＭＡＣ生成パラメータとＵＥのターゲット物理セル識別子ＰＣＩとを含む。
【００４３】
第１３の態様または第１３の態様の上記の実装のうちのいずれか１つに関して、第１３の態様の第３の実装では、第１のＭＡＣ生成パラメータはＮＡＳパラメータを含む。ＮＡＳパラメータはＮＡＳカウントを含み得る。
【００４４】
第１３の態様または第１３の態様の上記の実装のうちのいずれか１つに関して、第１３の態様の第４の実装では、送信ユニットは、ＵＥの識別子に基づいて制御プレーン機能エンティティの識別子を取得し、制御プレーン機能エンティティの識別子に基づいて制御プレーン機能エンティティに第３のメッセージを送信するように特に構成される。
【００４５】
第１３の態様または第１３の態様の上記の実装のうちのいずれか１つに関して、第１３の態様の第５の実装では、第２の受信ユニットは、制御プレーン機能エンティティによって送信されたＵＥのコンテキストを受信するか、またはソースＲＡＮによって送信されたＵＥのコンテキストを受信するように特に構成される。
【００４６】
第１３の態様または第１３の態様の上記の実装のうちのいずれか１つに関して、第１３の態様の第６の実装では、第２の受信ユニットは、制御プレーン機能エンティティによって送信された第４のメッセージを受信するようにさらに構成され、第４のメッセージは、ＵＥの識別子と、ソースＲＡＮのトークンと、ソースＲＡＮの識別子とを含み、送信ユニットは、第２の受信ユニットによって受信されたソースＲＡＮの識別子に基づいて、トークンとＵＥの識別子とをソースＲＡＮに送信するようにさらに構成される。
【００４７】
第１４の態様によれば、ターゲットＲＡＮによって送信されたＵＥの識別子とソースＲＡＮのトークンとを受信するように構成された受信ユニットと、ソースＲＡＮに記憶されたトークンが、ターゲットＲＡＮによって送信されたトークンと同じであるとき、ターゲットＲＡＮにＵＥのコンテキストを送信するように構成された送信ユニットとを含むソース無線アクセスノードＲＡＮが提供される。
【００４８】
第１４の態様に関して、第１４の態様の第１の実装では、送信ユニットは、ソースＲＡＮに記憶されたトークンが、ターゲットＲＡＮによって送信されたトークンと同じであるとき、ソースＲＡＮに記憶されたＵＥのデータを制御プレーン機能エンティティに送信するようにさらに構成される。
【００４９】
第１５の態様によれば、制御プレーン機能エンティティによって送信された第５のメッセージを受信するように構成された受信ユニットであって、第５のメッセージは、ＵＥの識別子を含む、受信ユニットと、ＵＥの識別子に基づいてＵＥのコンテキストを削除するように構成された処理ユニットとを含むソースＲＡＮが提供される。
【００５０】
第１５の態様に関して、第１５の態様の第１の実装では、第５のメッセージは、制御プレーン機能エンティティにＵＥのデータを送信することをソースＲＡＮに要求するために使用され、ソースＲＡＮは送信ユニットをさらに含み、送信ユニットは、ソースＲＡＮに記憶されたＵＥのデータを制御プレーン機能エンティティに送信するように構成される。
【００５１】
第１６の態様によれば、ターゲットＲＡＮによって送信された第３のメッセージを受信するように構成された受信ユニットであって、第３のメッセージは、ユーザ機器ＵＥのＭＡＣと第２のＭＡＣ生成パラメータとを含み、第２のＭＡＣ生成パラメータは、ＵＥの識別子を含む、受信ユニットと、受信ユニットによって受信された第３のメッセージに基づいて、ＭＡＣを検証するように構成された検証ユニットと、ＭＡＣの検証が成功したとき、ＵＥのコンテキストまたは第４のメッセージをターゲットＲＡＮに送信するように構成された送信ユニットであって、第４のメッセージは、ＵＥの識別子と、ソースＲＡＮのトークンと、ソースＲＡＮの識別子とを含む、送信ユニットとを含む制御プレーン機能エンティティが提供される。
【００５２】
第１６の態様に関して、第１６の態様の第１の実装では、送信ユニットは、ＭＡＣの検証が成功したとき、ソースＲＡＮに第５のメッセージを送信するようにさらに構成され、第５のメッセージは、ＵＥの識別子を含む。
【００５３】
第１６の態様の第１の実装に関して、第１６の態様の第２の実装では、第５のメッセージは、制御プレーン機能エンティティにＵＥのデータを送信することをソースＲＡＮに要求するために使用される。
【００５４】
第１６の態様または第１６の態様の実装のうちのいずれか１つに関して、第１６の態様の第３の実装では、受信ユニットは、ソースＲＡＮによって送信されたＵＥのデータを受信するようにさらに構成される。
【００５５】
第１６の態様または第１６の態様の実装のうちのいずれか１つに関して、第１６の態様の第４の実装では、第２のＭＡＣ生成パラメータはＮＡＳパラメータをさらに含むか、または第２のＭＡＣ生成パラメータは、ＮＡＳパラメータとＵＥのターゲットＰＣＩとをさらに含む。ＮＡＳパラメータはＮＡＳカウントを含み得る。
【００５６】
第１３の態様、第１４の態様、第１５の態様、第１６の態様、または上記の態様の実装のうちのいずれか１つに関して、ＵＥの識別子は、Ｓ−ＴＭＳＩおよびＧＵＴＩのうちの少なくとも１つを含む。
【図面の簡単な説明】
【００５７】
本発明の実施形態における技術的解決策についてより明確に説明するために、以下は、実施形態について説明するために必要とされる添付の図面を手短に説明する。明らかに、以下の説明における添付の図面は、本発明のいくつかの実施形態を示し、当業者は、創造的な努力なしにこれらの添付の図面から他の図面をさらに導出し得る。
【図１】ネットワークの構造図である。
【図２Ａ】本発明の実施形態による、リンク再確立方法のフローチャートである。
【図２Ｂ】本発明の実施形態による、リンク再確立方法のフローチャートである。
【図３】本発明の実施形態による、別のリンク再確立方法の概略図である。
【図４Ａ】本発明の実施形態による、さらに別のリンク再確立方法の概略図である。
【図４Ｂ】本発明の実施形態による、さらに別のリンク再確立方法の概略図である。
【図５Ａ】本発明の実施形態による、また別のリンク再確立方法の概略図である。
【図５Ｂ】本発明の実施形態による、また別のリンク再確立方法の概略図である。
【図６】本発明の実施形態による、ＵＥの構造図である。
【図７】本発明の実施形態による、ターゲットＲＡＮの概略構造図である。
【図８】本発明の実施形態による、ソースＲＡＮの概略構造図である。
【図９】本発明の実施形態による、ＣＰ機能エンティティの概略構造図である。
【図１０】本発明の実施形態による、別のターゲットＲＡＮの概略構造図である。
【図１１】本発明の実施形態による、別のソースＲＡＮの概略構造図である。
【図１２】本発明の実施形態による、さらに別のソースＲＡＮの概略構造図である。
【図１３】本発明の実施形態による、別のＣＰ機能エンティティの概略構造図である。
【図１４】本発明の実施形態による、ＵＥのハードウェアの構造図である。
【図１５】本発明の実施形態による、ＲＡＮのハードウェアの構造図である。
【図１６】本発明の実施形態による、ＣＰ機能エンティティのハードウェアの構造図である。
【図１７Ａ】本発明の実施形態による、さらにまた別のリンク再確立方法のフローチャートである。
【図１７Ｂ】本発明の実施形態による、さらにまた別のリンク再確立方法のフローチャートである。
【図１８】本発明の実施形態による、さらに別のＣＰ機能エンティティの概略構造図である。
【発明を実施するための形態】
【００５８】
以下は、本発明の実施形態における添付の図面を参照しながら、本発明の実施形態における技術的解決策について明確におよび完全に説明する。明らかに、説明される実施形態は、本発明の実施形態のすべてではなくいくつかにすぎない。創造的な努力なしに本発明の実施形態に基づいて当業者によって取得されたすべての他の実施形態は、本発明の保護範囲内に入るものとする。
【００５９】
図１は、ネットワーク構造を与え、ネットワーク構造は、４Ｇまたは５Ｇシステムに適用され得る。ネットワーク構造における構成要素は、以下のように手短に説明される。
【００６０】
ＵＥ：それは、様々なハンドヘルドデバイス、車両内デバイス、装着可能なデバイス、またはワイヤレス通信機能を有するコンピューティングデバイス、またはワイヤレスモデムに接続された別の処理デバイス、およびＵＥ、移動局（Ｍｏｂｉｌｅ  Ｓｔａｔｉｏｎ、ＭＳ）、端末（ｔｅｒｍｉｎａｌ）、端末機器（Ｔｅｒｍｉｎａｌ  Ｅｑｕｉｐｍｅｎｔ）、ソフトウェア端末、および水量計、電力量計、またはセンサーなど、様々な形態の同様のものを含み得る。説明しやすいように、本出願では、上述されたすべてのデバイスは、ユーザ機器またはＵＥと総称される。
【００６１】
ＲＡＮ：それは、従来のネットワークにおける基地局と同様であり、特定のエリア中の許可されたユーザにネットワークアクセス機能を提供し、ユーザレベルとサービス要件とに基づいて、異なる品質の伝送トンネルを使用することが可能である。ＲＡＮは、ＵＥとコアネットワークとの間で制御信号およびユーザデータを転送するように、無線リソースを管理し、必要に応じてＵＥにアクセスサービスを提供することができる。
【００６２】
コアネットワーク：それは、モバイルネットワークのサブスクリプションデータを維持し、モバイルネットワークにおけるネットワーク要素を管理し、セッション管理、モビリティ管理、ポリシー管理、およびセキュリティ認証など、機能をＵＥに提供する役目を果たす。ＵＥがコアネットワークにアタッチされたとき、コアネットワークは、ＵＥにネットワークアクセス認証を提供し、ＵＥがサービスを要求したとき、コアネットワークは、ＵＥにネットワークリソースを割り振り、ＵＥが移動したとき、コアネットワークは、ＵＥのためのネットワークリソースを更新し、ＵＥがアイドル状態であるとき、コアネットワークは、ＵＥに高速復元機構を提供し、ＵＥがコアネットワークから切り離されたとき、コアネットワークは、ＵＥのためのネットワークリソースを解放し、ＵＥがサービスデータを有するとき、コアネットワークは、ＵＥにデータルーティング機能を提供し、たとえば、ＩＰネットワークからＵＥのダウンリンクデータを受信し、ＲＡＮにダウンリンクデータを転送し、ＵＥにダウンリンクデータを送信する。
【００６３】
図１に示されているネットワーク構造において、コアネットワークは、ＵＰ機能エンティティとＣＰ機能エンティティとを含む。特に、ＵＰ機能エンティティは、コアネットワークのユーザプレーン機能を実装するように構成され、サービスデータ伝送、たとえば、データパケット転送、サービス品質（ｑｕａｌｉｔｙ  ｏｆ  ｓｅｒｖｉｃｅ、ＱｏＳ）制御，および課金情報収集の役目を主に果たす。ＵＰ機能エンティティは、サービングゲートウェイ（Ｓｅｒｖｉｎｇ  Ｇａｔｅｗａｙ、ＳＧＷ）またはパケットデータネットワークゲートウェイ（Ｐａｃｋｅｔ  Ｄａｔａ  Ｎｅｔｗｏｒｋ  Ｇａｔｅｗａｙ、ＰＧＷ）を含み得る。ＣＰ機能エンティティは、コアネットワークの制御プレーン機能を実装するように構成され、モバイルネットワーク管理、たとえば、データパケット転送ポリシーおよびＱｏＳ制御ポリシーの配信の役目を主に果たす。ＣＰ機能エンティティは、特に、モビリティ管理エンティティ（ｍｏｂｉｌｉｔｙ  ｍａｎａｇｅｍｅｎｔ  ｅｎｔｉｔｙ、ＭＭＥ）、セッション管理エンティティなどを含み得る。これは、本出願の実施形態において特に限定されない。
【００６４】
ＣＰ機能エンティティおよびＵＰ機能エンティティは、１つの物理デバイスによって実装され得るか、または複数の物理デバイスによって共同で実装され得ることに留意されたい。これは、本出願の実施形態において特に限定されない。
【００６５】
もちろん、上記のネットワーク構造は、ポリシーおよび課金ルール機能（Ｐｏｌｉｃｙ  ａｎｄ  Ｃｈａｒｇｉｎｇ  Ｒｕｌｅｓ  Ｆｕｎｃｔｉｏｎ、ＰＣＲＦ）エンティティ、ポリシーおよび課金制御（Ｐｏｌｉｃｙ  ａｎｄ  Ｃｈａｒｇｉｎｇ  Ｃｏｎｔｒｏｌ、ＰＣＣ）エンティティ，およびポリシー制御エンティティなど、別のモジュールまたはネットワークエンティティをさらに含み得る。詳細は、本明細書で説明されない。
【００６６】
本発明のすべての実施形態は、図１に示されているネットワークアーキテクチャに基づいて実装されることに留意されたい。ＵＥおよびコアネットワーク中にあるＣＰ機能エンティティは、ＮＡＳメッセージを使用することによって、ＵＥのデータを伝送する。さらに、使用される「ソース」および「ターゲット」は、両方とも、ＵＥについてのものである。たとえば、ソースＲＡＮは、ＵＥが現在接続されているＲＡＮを示し、ソースＰＣＩは、ＵＥが現在接続されているセルを示すために使用される。ターゲットＲＡＮは、ＵＥがソースＲＡＮから切断した後、ＵＥが再接続することを試みるＲＡＮを示し、ターゲットＰＣＩは、ＵＥがソースＲＡＮから切断した後、ＵＥが再接続することを試みるセルを示すために使用される。本明細書の説明は例にすぎず、本出願は限定されない。
【００６７】
本発明の実施形態において提供される方法は、ＵＥが無線リンク障害を検出したときに実施され得、実施形態は限定されないことに留意されたい。
【００６８】
図２Ａおよび図２Ｂに示されているように、本発明の実施形態において提供されるリンク再確立方法は、以下のように詳細に説明される。
【００６９】
２０１。ＵＥは、ＮＡＳ完全性鍵と第１のＭＡＣ生成パラメータとに基づいて、ＵＥのＭＡＣを取得する。
【００７０】
第１のＭＡＣ生成パラメータは、ＭＡＣを生成するために使用されるパラメータであり、ＭＡＣを生成するために使用されるいくつかのパラメータを含み得る。たとえば、ＵＥのＭＡＣは、ＵＥのターゲットＰＣＩと、ＵＥの識別子と、ＵＥのソースＰＣＩとを使用することによって生成される。この場合、第１のＭＡＣ生成パラメータは、ＵＥの識別子およびＵＥのソースＰＣＩのみを含み得る。第１のＭＡＣ生成パラメータは、ＮＡＳ完全性鍵を除いて、ＭＡＣを生成するために使用されるすべてのパラメータを含み得る。これは、本出願において限定されない。
【００７１】
特に、第１のＭＡＣ生成パラメータは、ＵＥの識別子を含み、第１のＭＡＣ生成パラメータは、ＵＥのものであるＮＡＳパラメータおよびＲＲＣパラメータのうちの少なくとも１つをさらに含み得る。ＲＲＣパラメータは、ＵＥのソース物理セル識別子（ｐｈｙｓｉｃａｌ  ｃｅｌｌ  ｉｄｅｎｔｉｆｉｅｒ、ＰＣＩ）および／またはＵＥのターゲットＰＣＩを含み得、ＮＡＳパラメータは、ＵＥのＮＡＳシーケンス番号（ＮＡＳ  ＣＯＵＮＴ）を含み得る。明らかに、ＮＡＳパラメータはＮＡＳカウントに限定されない。
【００７２】
ＮＡＳカウントは、ＮＡＳデータパケットの通し番号を示すために使用され、ＮＡＳカウントは、アップリンクＮＡＳカウントとダウンリンクＮＡＳカウントとを含み得る。これは従来技術に属し、詳細は説明されない。
【００７３】
ＵＥの識別子は、ソースセル無線ネットワーク一時識別子（ｃｅｌｌ  ｒａｄｉｏ  ｎｅｔｗｏｒｋ  ｔｅｍｐｏｒａｒｙ  ｉｄｅｎｔｉｆｉｅｒ、Ｃ−ＲＮＴＩ）、ＳＡＥ一時モバイル加入者識別（ＳＡＥ−ｔｅｍｐｏｒａｒｙ  ｍｏｂｉｌｅ  ｓｕｂｓｃｒｉｂｅｒ  ｉｄｅｎｔｉｔｙ、Ｓ−ＴＭＳＩ）、およびグローバルユニーク一時識別（ｇｌｏｂａｌｌｙ  ｕｎｉｑｕｅ  ｔｅｍｐｏｒａｒｙ  ｉｄｅｎｔｉｔｙ、ＧＵＴＩ）のうちの少なくとも１つを含み得る。ソースＣ−ＲＮＴＩは、ソースＲＡＮによってＵＥに割り振られ、ソースＲＡＮにおいてＵＥを一意に識別するために使用される。
【００７４】
さらに、ＵＥの識別子は、Ｓ−ＴＭＳＩの部分フィールドまたはＧＵＴＩの部分フィールドであり得る。これは、本明細書において限定されない。
【００７５】
ステップ２０１は、
ＮＡＳ完全性鍵と、第１のＭＡＣ生成パラメータと、ＵＥのターゲットＰＣＩとに基づいて、ＵＥのＭＡＣを取得するステップ
を特に含み得ることに留意されたい。
【００７６】
２０２。ＵＥは、ターゲットＲＡＮに再確立要求メッセージを送信し、再確立要求メッセージは、ＭＡＣと第１のＭＡＣ生成パラメータとを含む。
【００７７】
再確立要求メッセージは、ＵＥとターゲットＲＡＮとの間の接続、たとえば、ＲＲＣ接続を再確立することを要求するために使用され得、メッセージは、特に、ＲＲＣ接続再確立要求（ＲＲＣ  ｃｏｎｎｅｃｔｉｏｎ  ｒｅ−ｅｓｔａｂｌｉｓｈｍｅｎｔ  ｒｅｑｕｅｓｔ）メッセージであり得る。
【００７８】
再確立要求メッセージは、ＵＥのソースＰＣＩを搬送し、特に、以下の方式でＵＥのソースＰＣＩを搬送し得る。
【００７９】
方式１：再確立要求メッセージは、ＵＥのソースＰＣＩを含む。たとえば、ソースＰＣＩは、再確立要求メッセージ中で搬送され、第１のＭＡＣ生成パラメータに依存しない。言い換えれば、再確立要求メッセージは、第１のＭＡＣ生成パラメータと、ＭＡＣと、ソースＰＣＩとを含む。
【００８０】
方式２：第１のＭＡＣ生成パラメータは、ＵＥのソースＰＣＩを含む。
【００８１】
２０３。ターゲットＲＡＮは、ＵＥによって送信された再確立要求メッセージを受信し、再確立要求メッセージに基づいてソースＲＡＮに第１のメッセージを送信する。
【００８２】
第１のメッセージは、第２のＭＡＣ生成パラメータとＭＡＣとを含み、第１のメッセージは、無線リンク障害（ｒａｄｉｏ  ｌｉｎｋ  ｆａｉｌｕｒｅ、ＲＬＦ）指示メッセージであり得る。
【００８３】
第２のＭＡＣ生成パラメータは、第１のＭＡＣ生成パラメータと同じであり得る。代替として、第２のＭＡＣ生成パラメータは、第１のＭＡＣ生成パラメータとは異なり得る。たとえば、第２のＭＡＣ生成パラメータは、第１のＭＡＣ生成パラメータとＵＥのターゲットＰＣＩとを含む。これは、特に、ＵＥが、ＵＥのターゲットＰＣＩを使用することによって、ＭＡＣを生成するが、第１のＭＡＣ生成パラメータが、ＵＥのターゲットＰＣＩを含まないシナリオに適用され得る。
【００８４】
具体的には、第２のＭＡＣ生成パラメータは、ＵＥの識別子を含み、第２のＭＡＣ生成パラメータは、
ＮＡＳパラメータおよびＲＲＣパラメータのうちの少なくとも１つ、または
ＮＡＳパラメータおよびＲＲＣパラメータのうちの少なくとも１つ、およびＵＥのターゲットＰＣＩ
をさらに含む。
【００８５】
特に、ステップ２０３において、ターゲットＲＡＮは、再確立要求メッセージ中で搬送されたＵＥのソースＰＣＩに基づいて、ソースＲＡＮに第１のメッセージを送信する。たとえば、ＰＣＩとＲＡＮの識別子またはアドレスとの間に対応が存在する。ターゲットＲＡＮは、ＵＥのソースＰＣＩを使用することによって、対応を探索し、ソースＲＡＮの識別子またはアドレスを取得し、ソースＲＡＮの識別子またはアドレスに基づいて、ソースＲＡＮに第１のメッセージを送信する。
【００８６】
２０４。ソースＲＡＮは、ターゲットＲＡＮによって送信された第１のメッセージを受信し、第１のメッセージに基づいてＣＰ機能エンティティに第２のメッセージを送信する。
【００８７】
第２のメッセージは、第２のＭＡＣ生成パラメータとＭＡＣとを含み、第２のメッセージは、ソースＲＡＮとＣＰ機能エンティティとの間の接続リンクを通して送信され得る。これは、本明細書において限定されない。
【００８８】
特に、ステップ２０４において、ソースＲＡＮは、第１のメッセージ中に含まれるＵＥの識別子（ＵＥ  ＩＤ）に基づいて、ＣＰ機能エンティティに第２のメッセージを送信し得、ステップ２０４は、
ソースＲＡＮによって、ＵＥの識別子に基づいてＵＥの第１のリンクの識別子を取得するステップであって、第１のリンクは、ソースＲＡＮとＣＰ機能エンティティとの間でＵＥのデータを伝送するために使用され、ソースＲＡＮは、第１のリンクを通してＣＰ機能エンティティに第２のメッセージを送信する、ステップ
を含み得る。
【００８９】
たとえば、ＵＥの識別子がソースＣ−ＲＮＴＩであるとき、ソースＲＡＮは、ソースＣ−ＲＮＴＩを使用することによって、第１のリンクの識別子を見つけ、ソースＲＡＮは、識別子によって示された第１のリンクを通してＣＰ機能エンティティに第２のメッセージを送信する。第１のリンクはＳ１接続リンクであり得、第１のリンクの識別子はＭＭＥ  ＵＥ  Ｓ１アプリケーションプロトコルＩＤ（ＭＭＥ  ＵＥ  Ｓ１ＡＰ  ＩＤ）であり得る。ＭＭＥ  ＵＥ  Ｓ１ＡＰ  ＩＤは、ＭＭＥによって割り振られ、ＵＥのＳ１ＡＰを識別するために使用される。
【００９０】
別の例では、ＵＥの識別子がＧＵＴＩ、Ｓ−ＴＭＳＩ、ＧＵＴＩの部分フィールド、またはＳ−ＴＭＳＩの部分フィールドであるとき、ソースＲＡＮは、ＵＥの識別子、たとえば、グローバル一意のＭＭＥ識別子（ｇｌｏｂａｌｌｙ  ｕｎｉｑｕｅ  ＭＭＥ  ｉｄｅｎｔｉｆｉｅｒ、ＧＵＭＭＥＩ）からＣＰ機能エンティティの識別子を取得する。ソースＲＡＮは、ＣＰ機能エンティティに第２のメッセージを送信するか、またはソースＲＡＮは、ＵＥの識別子に基づいてＵＥの第１のリンクを見つけ、第１のリンクを通してＣＰ機能エンティティに第２のメッセージを送信する。第１のリンクはＳ１接続リンクであり得る。
【００９１】
概して、ソースＲＡＮは、ＵＥのソースＣ−ＲＮＴＩに基づいてＵＥの関連情報を記憶し、具体的には、ＵＥの関連情報（たとえば、第１のリンク）は、Ｃ−ＲＮＴＩを使用することによって、ソースＲＡＮにおいて探索され、取得されることが可能である。ＵＥの識別子が、ＧＵＴＩ、Ｓ−ＴＭＳＩ、ＧＵＴＩの部分フィールド、またはＳ−ＴＭＳＩの部分フィールドであるとき、ソースＲＡＮは、最初に、ＵＥの識別子を記憶し得る。たとえば、ソースＲＡＮがＣＰ機能エンティティと通信するとき、ソースＲＡＮは、ＣＰ機能エンティティによって送信されたＵＥの識別子を受信し、ＵＥの識別子をＵＥの関連情報に関連付ける。この場合、ソースＲＡＮは、ＵＥの識別子に基づいてＵＥの関連情報を取得し得る。
【００９２】
２０５。ＣＰ機能エンティティは、ソースＲＡＮによって送信された第２のメッセージを受信し、第２のメッセージに基づいてＭＡＣを検証する。
【００９３】
２０６。ＣＰ機能エンティティは、ソースＲＡＮにＭＡＣの検証結果を送信する。
【００９４】
ＭＡＣの検証結果は、明示的方式でソースＲＡＮに送信され得る。特に、少なくとも１ビットが、ＭＡＣの検証結果を示すために使用され得る。たとえば、少なくとも１ビットの値が１であるとき、それは、ＭＡＣの検証が成功したことを示し、または少なくとも１ビットの値が０であるとき、それは、ＭＡＣの検証が失敗したことを示す。明らかに、ＭＡＣの検証結果は、暗黙的方式でソースＲＡＮにさらに送信され得る。特に、異なるメッセージ名が、ＭＡＣの検証結果をソースＲＡＮに通知するために使用され得、指示情報は、ＭＡＣの検証が成功したときにのみソースＲＡＮに送信され得、ＭＡＣの検証が失敗したとき、指示情報はソースＲＡＮに送信されない。
【００９５】
さらに、ＭＡＣの検証結果は、ＵＥ検証応答メッセージを使用することによって、ソースＲＡＮに送信され得る。
【００９６】
２０７。ソースＲＡＮは、ＣＰ機能エンティティによって送信されたＭＡＣの検証結果を受信する。
【００９７】
２０８。検証結果が、ＭＡＣの検証が成功したことを示すとき、ソースＲＡＮは、ターゲットＲＡＮにＵＥのコンテキストを送信する。
【００９８】
ＵＥのコンテキストは、ＭＭＥ  ＵＥ  Ｓ１ＡＰ  ＩＤと、ＵＥセキュリティ能力（ＵＥセキュリティ能力）と、Ｅ−ＵＴＲＡＮ無線アクセスベアラ（Ｅ−ＵＴＲＡＮ  ｒａｄｉｏ  ａｃｃｅｓｓ  ｂｅａｒｅｒ、Ｅ−ＲＡＢ）ＩＤと、Ｅ−ＲＡＢレベルサービス品質パラメータ（Ｅ−ＲＡＢレベルＱｏＳパラメータ）とを含み得る。ＵＥセキュリティ能力は、ＵＥのセキュリティ能力を識別するために使用され、Ｅ−ＲＡＢ  ＩＤは、Ｅ−ＲＡＢベアラを識別するために使用され、Ｅ−ＲＡＢレベルＱｏＳパラメータは、ベアラＱｏＳなど、パラメータを識別するために使用される。
【００９９】
さらに、ＵＥのコンテキストは、アクセス層（ａｃｃｅｓｓ  ｓｔｒａｔｕｍ、ＡＳ）セキュリティコンテキスト、たとえば、鍵ＫｅＮＢ＊を含まないことがある。
【０１００】
特に、コンテキストは、制御プレーンＣＩｏＴ  ＥＰＳ最適化（ｃｏｎｔｒｏｌ  ｐｌａｎｅ  ＣＩｏＴ  ＥＰＳ  ｏｐｔｉｍｉｚａｔｉｏｎ）ソリューションにおけるＵＥのコンテキストであり得る。これは、本明細書において限定されない。
【０１０１】
特に、ＵＥのコンテキストは、復元ＵＥコンテキスト応答（Ｒｅｔｒｉｅｖｅ  ＵＥ  Ｃｏｎｔｅｘｔ  Ｒｅｓｐｏｎｓｅ）メッセージ中で搬送され得る。
【０１０２】
２０９。ターゲットＲＡＮは、ソースＲＡＮによって送信されたＵＥのコンテキストを受信し、ＵＥに再確立応答メッセージを送信する。
【０１０３】
対応して、ＵＥは、ターゲットＲＡＮによって送信された再確立応答メッセージを受信する。
【０１０４】
再確立応答メッセージは、リンクがＵＥとターゲットＲＡＮとの間で再確立されることを可能にされたことを示すために使用され得る。再確立応答メッセージは、ＵＥ上のＣＰ機能エンティティによって実施された認証が成功したことを示すためにさらに使用され得、ＵＥの識別子がＣＰ機能エンティティにおいて存在することを示すためにさらに使用され得る。再確立要求メッセージがＲＲＣ接続再確立要求であるとき、再確立応答メッセージはＲＲＣ接続再確立メッセージであり得る。ＲＲＣ接続再確立メッセージを受信した後、ＵＥは、ＲＲＣ接続再確立完了（ＲＲＣ  ｃｏｎｎｅｃｔｉｏｎ  ｒｅ−ｅｓｔａｂｌｉｓｈｍｅｎｔ  ｃｏｍｐｌｅｔｅ）メッセージをターゲットＲＡＮに送信し得る。ＲＲＣ接続再確立完了メッセージは、ターゲットＲＡＮとＵＥとの間のＲＲＣ接続の確立が完了されたことを示すために使用され得る。
【０１０５】
ターゲットＲＡＮが、ソースＲＡＮによって送信されたＵＥのコンテキストを受信したとき、それは、ＵＥによって送信されたＭＡＣに対してＣＰ機能エンティティによって実施された検証が成功したこと、言い換えれば、ＵＥに対してＣＰ機能エンティティによって実施された認証が成功したことを示すことに留意されたい。
【０１０６】
上記の実施形態において提供される方法では、ＵＥは、第１のＭＡＣ生成パラメータとＭＡＣとを含む再確立要求メッセージをターゲットＲＡＮに送信し、ターゲットＲＡＮは、再確立要求メッセージに基づいて、およびソースＲＡＮを使用することによって、第２のＭＡＣ生成パラメータとＭＡＣとをＣＰ機能エンティティに送信し、したがって、ＣＰ機能エンティティは、第２のＭＡＣ生成パラメータに基づいてＭＡＣを検証し、ソースＲＡＮに検証結果を送信する。ＭＡＣの検証が成功したとき、ソースＲＡＮは、ターゲットＲＡＮにＵＥのコンテキストを送信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。さらに、ＣＰ機能エンティティは、ＭＡＣの完全性を検証し、再確立要求メッセージに対する有効性検証を実施する。これは、再確立要求メッセージが、偽造、改ざん、またはリプレイされるのを防ぎ、ネットワークセキュリティを保証する。
【０１０７】
任意選択で、上記の実施形態の実装シナリオにおいて、ステップ２０１は、以下のステップを含み得る。
【０１０８】
２０１１。第１のＭＡＣ生成パラメータに基づいてハッシュ（ｈａｓｈ）値を計算する。
【０１０９】
特に、第１のＭＡＣ生成パラメータは、メッセージ（ｍｅｓｓａｇｅ）に組み合わせられ、組み合わせられたメッセージは、ハッシュ関数の入力として使用され、ハッシュ値Ｈｍを取得する。たとえば、以下の式、
Ｈｍ＝ＨＡＳＨ（ｍｅｓｓａｇｅ）（式１）、ここで、
Ｈｍはハッシュ値であり、ＨＡＳＨはハッシュ関数であり、ｍｅｓｓａｇｅは入力メッセージである、
が使用される。
【０１１０】
２０１２。ＮＡＳ完全性鍵とハッシュ値Ｈｍとに基づいて、ＭＡＣを計算する。
【０１１１】
特に、ＭＡＣは、以下の式、
ＭＡＣ＝Ｅｎｃ（Ｈｍ、Ｋｉｎｔ）（式２）、ここで、
Ｅｎｃは暗号化関数であり、Ｈｍはハッシュ値であり、ＫｉｎｔはＮＡＳ完全性鍵である、
を使用することによって計算され得る。
【０１１２】
たとえば、第１のＭＡＣ生成パラメータがＮＡＳパラメータを含むとき、ＮＡＳパラメータがＮＡＳカウントである場合、ステップ２０１１における組み合わせられたメッセージは、ＮＡＳカウントまたはＮＡＳカウントの部分フィールド（ＮＡＳカウントの最下位４ビット）と、ＵＥの識別子とを含み、組み合わせられたメッセージは、プリセットされた一定値をさらに含み得る。プリセットされた一定値はＵＥに記憶される。さらに、プリセットされた一定値は、ＣＰ機能エンティティにも記憶される。
【０１１３】
ＵＥのターゲットＰＣＩがＭＡＣを生成するためにも使用されるとき、ステップ２０１１における組み合わせられたメッセージは、第１のＭＡＣ生成パラメータとＵＥのターゲットＰＣＩとを含むことに留意されたい。詳細は、本明細書で説明されない。
【０１１４】
任意選択で、上記の実施形態の別の実装シナリオにおいて、ステップ２０５は、以下のステップを含み得る。
【０１１５】
２０５１。ＣＰ機能エンティティは、第２のメッセージに基づいてＵＥのＮＡＳ完全性鍵を取得する。
【０１１６】
たとえば、ＣＰ機能エンティティは、第２のメッセージを受信するために使用される第１のリンクを通して、第１のリンクに対応するＵＥの識別子を取得し得る。第１のリンクについては、ステップ２０４における説明を参照されたい。次いで、ＣＰ機能エンティティは、ＵＥの識別子に基づいてＵＥの記憶されたＮＡＳコンテキストを探索し、ＵＥのＮＡＳ完全性鍵を取得する。
【０１１７】
別の例では、第２のメッセージがＵＥの識別子を含み、ＵＥの識別子が、ＧＵＴＩ、Ｓ−ＴＭＳＩ、ＧＵＴＩの部分フィールド、またはＳ−ＴＭＳＩの部分フィールドであるとき、ＣＰ機能エンティティは、ＵＥのＮＡＳ完全性鍵を取得するように、ＵＥの識別子に基づいてＵＥの記憶されたＮＡＳコンテキストをさらに探索してもよい。
【０１１８】
２０５２。ＣＰ機能エンティティは、ＮＡＳ完全性鍵と第２のＭＡＣ生成パラメータとに基づいて、ＭＡＣを検証する。
【０１１９】
特に、ＣＰ機能エンティティは、第２のＭＡＣ生成パラメータと、ＮＡＳ完全性鍵と、上記の式１とに基づいて、ハッシュ値Ｈｍを取得し、ＭＡＣと、ＮＡＳ完全性鍵と、式３とに基づいて、ハッシュ値Ｈｍ’を取得し、ＨｍをＨｍ’と比較する。ＨｍとＨｍ’とが異なる場合、ＭＡＣの検証は失敗であり、またはＨｍとＨｍ’とが同じである場合、ＭＡＣの検証は成功である。
【０１２０】
Ｈｍ’＝Ｄｅｃ（ＭＡＣ、Ｋｉｎｔ）（式３）、ここで、
Ｄｅｃは復号関数であり、ＫｉｎｔはＮＡＳ完全性鍵である。
【０１２１】
さらに、第２のＭＡＣ生成パラメータがＮＡＳカウントを含むとき、第２のＭＡＣ生成パラメータ中のＮＡＳカウントと、ＣＰ機能エンティティに記憶されたＵＥのＮＡＳカウントとは、ＨｍとＨｍ’とが比較される前に比較され得る。明らかに、第２のＭＡＣ生成パラメータがＮＡＳカウントの部分フィールドを含むとき、第２のＭＡＣ生成パラメータ中のＮＡＳカウントの部分フィールドは、ＣＰ機能エンティティに記憶されたＵＥのＮＡＳカウントの対応する部分フィールドと比較され得る。第２のＭＡＣ生成パラメータ中のＮＡＳカウントの部分フィールドが、ＣＰ機能エンティティに記憶されたＵＥのＮＡＳカウントの対応する部分フィールドと同じである場合、ＨｍおよびＨｍ’は取得され、ＨｍとＨｍ’とは比較される。これは、本明細書において限定されない。
【０１２２】
上記の実装シナリオにおいて提供される方法では、ＣＰ機能エンティティは、ＭＡＣの完全性を検証し、再確立要求メッセージに対する有効性検証を実施する。これは、再確立要求メッセージが、偽造、改ざん、またはリプレイされるのを防ぎ、ネットワークセキュリティを保証する。
【０１２３】
任意選択で、上記の実施形態のさらに別の実装シナリオでは、上記の方法は、以下のステップをさらに含む。
【０１２４】
２１０。ソースＲＡＮは、ソースＲＡＮに記憶されたＵＥのデータをＣＰ機能エンティティに送信する。
【０１２５】
２１１。ＣＰ機能エンティティは、ソースＲＡＮによって送信されたＵＥのデータを受信し、ターゲットＲＡＮを使用することによって、ＵＥの受信データをＵＥに送信する。
【０１２６】
たとえば、ＣＰ機能エンティティは、ダウンリンクＮＡＳパケットデータユニット（ｐａｃｋｅｔ  ｄａｔａ  ｕｎｉｔ、ＰＤＵ）をターゲットＲＡＮに送信する。
【０１２７】
上記の実施形態シナリオにおいて提供される方法では、ソースＲＡＮは、ＣＰ機能エンティティを使用することによって、ターゲットＲＡＮにＵＥの受信データを送信し、次いで、ターゲットＲＡＮは、ＵＥの受信データをＵＥに送信する。これは、ＵＥのデータの損失を回避し、データ伝送効率を改善し、ネットワーク伝送信頼性を向上させる。
【０１２８】
任意選択で、上記の実施形態のまた別の実装シナリオでは、上記の方法は、以下、
ＣＰ機能エンティティによって、ＵＥの識別子を更新するステップと、ＵＥの更新された識別子をターゲットＲＡＮに送信するステップと
をさらに含む。
【０１２９】
任意選択で、上記の実施形態におけるステップ２０８および２０９は、以下のようなステップ２０８’と交換され得る。
【０１３０】
２０８’。ステップ２０７においてソースＲＡＮによって受信された検証結果が、ＭＡＣの検証が失敗したことを示すとき、ソースＲＡＮは、再確立障害を示すために使用されるメッセージをターゲットＲＡＮに送信する。
【０１３１】
ステップ２０８’におけるメッセージは、障害原因値を搬送し得、したがって、ターゲットＲＡＮは、ＵＥに障害原因値を送信する。特に、障害原因値は、少なくとも１ビットであり得、リンク再確立障害、たとえば、ＭＡＣ検証障害の原因を示すために使用される。
【０１３２】
ステップ２０８’は、リンク再確立障害の原因をＵＥに通知するために使用され得、したがって、ＵＥは、障害原因を学習し、適時にアクセスポリシーを調整することが可能である。
【０１３３】
任意選択で、上記の実施形態のさらにまた別の実装シナリオでは、ステップ２０８は、以下、
ソースＲＡＮによって、ソースＲＡＮに記憶されたＵＥのデータをターゲットＲＡＮに送信するステップ
をさらに含み得る。
【０１３４】
対応して、上記の方法は、ターゲットＲＡＮによって、ソースＲＡＮによって送信されたＵＥのデータを受信するステップをさらに含む。
【０１３５】
特に、ＵＥのデータは、ＮＡＳ  ＰＤＵを使用することによって送信され得、詳細は再び説明されない。
【０１３６】
上記の実装シナリオでは、ソースＲＡＮは、ターゲットＲＡＮにＵＥのデータを直接送信する。これは、ＵＥのデータの伝送経路を短縮し、コアネットワークにおける伝送リソースの浪費を回避し、性能を改善する。
【０１３７】
図３に示されているように、本発明の実施形態において提供される別のリンク再確立方法が、以下のように詳細に説明される。
【０１３８】
３０１。ＵＥは、ＮＡＳ完全性鍵と第１のＭＡＣ生成パラメータとに基づいて、ＵＥのＭＡＣを取得する。
【０１３９】
第１のＭＡＣ生成パラメータは、ＵＥの識別子を含み、ＮＡＳパラメータをさらに含み得る。特に、ＮＡＳパラメータはＮＡＳカウントであり得、限定されない。ＵＥの識別子は、Ｓ−ＴＭＳＩ、ＧＵＴＩ、Ｓ−ＴＭＳＩの部分フィールド、およびＧＵＴＩの部分フィールドのうちの少なくとも１つを含み得る。
【０１４０】
特に、ＭＡＣの取得については、図２Ａおよび図２Ｂに示されている実施形態における関連説明を参照し、詳細は再び説明されない。
【０１４１】
３０２。ＵＥは、ターゲットＲＡＮに再確立要求メッセージを送信し、再確立要求メッセージは、ＭＡＣと第２のＭＡＣ生成パラメータとを含む。
【０１４２】
第２のＭＡＣ生成パラメータは、第１のＭＡＣ生成パラメータと同じであり得るか、または第１のＭＡＣ生成パラメータとＵＥのターゲットＰＣＩとを含み得る。これは限定されない。
【０１４３】
具体的には、第２のＭＡＣ生成パラメータは、ＵＥの識別子を含む。さらに、第２のＭＡＣ生成パラメータはＮＡＳパラメータをさらに含み得るか、または、第２のＭＡＣ生成パラメータは、ＮＡＳパラメータとＵＥのターゲットＰＣＩとをさらに含み得る。
【０１４４】
３０３。ターゲットＲＡＮは、ＵＥによって送信された再確立要求メッセージを受信し、再確立要求メッセージに基づいてＣＰ機能エンティティに第３のメッセージを送信する。
【０１４５】
第３のメッセージは、第２のＭＡＣ生成パラメータとＭＡＣとを含む。
【０１４６】
特に、ステップ３０３は、以下の２つのステップを含み得る。
【０１４７】
３０３１。ターゲットＲＡＮは、ＵＥの識別子に基づいてＣＰ機能エンティティの識別子を取得する。
【０１４８】
たとえば、ＵＥの識別子がＧＵＴＩまたはＳ−ＴＭＳＩである場合、ターゲットＲＡＮは、ＵＥの識別子からＧＵＭＭＥＩを取得する。
【０１４９】
３０３２。ターゲットＲＡＮは、ＣＰ機能エンティティの識別子に基づいてＣＰ機能エンティティに第３のメッセージを送信する。
【０１５０】
３０４。ＣＰ機能エンティティは、ターゲットＲＡＮによって送信された第３のメッセージを受信し、第３のメッセージに基づいてＭＡＣを検証する。
【０１５１】
特に、ステップ３０４は以下を含み得る。
【０１５２】
３０４１。第２のＭＡＣ生成パラメータ中のＵＥの識別子に基づいて、ＵＥのＮＡＳ完全性鍵を取得するステップ。
【０１５３】
３０４２。ＵＥのＮＡＳ完全性鍵と第２のＭＡＣ生成パラメータとに基づいて、ＭＡＣを検証するステップ。
【０１５４】
ステップ３０４１に関する詳細については、ステップ２０５１を参照し、ステップ３０４２については、ステップ２０５２を参照することに留意されたい。詳細は再び説明されない。
【０１５５】
３０５。ＭＡＣの検証が成功したとき、ＣＰ機能エンティティは、ターゲットＲＡＮにＵＥのコンテキストを送信する。
【０１５６】
３０６。ターゲットＲＡＮは、ＵＥのコンテキストを受信し、ＵＥに再確立応答メッセージを送信する。
【０１５７】
特に、ステップ３０５が実施されたとき、ステップ３０６において、ターゲットＲＡＮは、ＣＰ機能エンティティによって送信されたＵＥのコンテキストを受信する。
【０１５８】
再確立応答メッセージについては、ステップ２０９における関連説明を参照し、詳細は再び説明されない。
【０１５９】
上記の実施形態において提供される方法では、ターゲットＲＡＮは、ＵＥによって送信された第１のＭＡＣ生成パラメータとＭＡＣとに基づいて、第２のＭＡＣ生成パラメータとＭＡＣとをＣＰ機能エンティティに送信し、ＣＰ機能エンティティは、ＭＡＣに対してＣＰ機能エンティティによって実施された検証が成功したとき、ターゲットＲＡＮにＵＥのコンテキストを送信する。これは、ターゲットＲＡＮによってＵＥのコンテキストを復元する速度を上げ、効率を改善する。
【０１６０】
任意選択で、上記の実施形態の別の実装シナリオでは、ステップ３０４の後におよびステップ３０５の前に、またはステップ３０５の後に、上記の方法は、詳細が以下のようであるステップ３０５ａおよび３０５ｂをさらに含む。
【０１６１】
３０５ａ。ＭＡＣの検証が成功したとき、ＣＰ機能エンティティは、ソースＲＡＮに第５のメッセージを送信する。
【０１６２】
第５のメッセージは、ＵＥの識別子を含む。さらに、第５のメッセージは、ＭＡＣの検証結果を含み得る。
【０１６３】
３０５ｂ。ソースＲＡＮは、ＣＰ機能エンティティによって送信された第５のメッセージを受信し、第５のメッセージ中に含まれたＵＥの識別子に基づいて、ＵＥのコンテキストを削除する。
【０１６４】
たとえば、図４Ａおよび図４Ｂは、ステップ３０５の後のステップ３０５ａおよび３０５ｂを示す。
【０１６５】
さらに、第５のメッセージは、制御プレーン機能エンティティにＵＥのデータを送信することをソースＲＡＮに要求するために使用され得、上記の方法は、詳細が以下のようであるステップ３０５ｃおよび３０５ｄをさらに含み得る。
【０１６６】
３０５ｃ。ソースＲＡＮは、ソースＲＡＮに記憶されたＵＥのデータをＣＰ機能エンティティに送信する。
【０１６７】
３０５ｄ。ＣＰ機能エンティティは、ソースＲＡＮによって送信されたＵＥのデータを受信し、ターゲットＲＡＮを使用することによって、ＵＥの受信データをＵＥに送信する。
【０１６８】
たとえば、ＣＰ機能エンティティは、ダウンリンクＮＡＳ  ＰＤＵをターゲットＲＡＮに送信する。
【０１６９】
上記の実施形態シナリオにおいて提供される方法では、ソースＲＡＮは、ＣＰ機能エンティティを使用することによって、ターゲットＲＡＮにＵＥの受信データを送信し、次いで、ターゲットＲＡＮは、ＵＥの受信データをＵＥに送信する。これは、ＵＥのデータの損失を回避し、データ伝送効率を改善し、ネットワーク伝送信頼性を向上させる。
【０１７０】
任意選択で、上記の実施形態のさらに別の実装シナリオでは、上記の方法は、以下、
ＣＰ機能エンティティによって、ＵＥの識別子を更新するステップと、ＵＥの更新された識別子をターゲットＲＡＮに送信するステップと
をさらに含む。
【０１７１】
代替として、上記の実施形態におけるステップ３０５および３０６は、以下のステップと交換され得る。
【０１７２】
ＭＡＣの検証が失敗したとき、ＣＰ機能エンティティは、ターゲットＲＡＮにＭＡＣの検証結果を送信し、ターゲットＲＡＮは、再確立障害を示すために使用されるメッセージをＵＥに送信する。
【０１７３】
ＭＡＣの検証結果は、特に、図２Ａおよび図２Ｂに示されている実施形態において説明された明示的方式または暗黙的方式で伝送され得、詳細は再び説明されない。
【０１７４】
特に、再確立障害を示すために使用されるメッセージは、障害原因値を搬送し得る。障害原因値は、少なくとも１ビットであり得、リンク再確立障害、たとえば、ＭＡＣ検証障害の原因を示すために使用され、リンク再確立障害の原因をＵＥに通知するために使用され、したがって、ＵＥは、障害原因を学習し、適時にアクセスポリシーを調整することが可能である。
【０１７５】
図５Ａおよび図５Ｂに示されているように、本発明の実施形態は、さらに別のリンク再確立方法を提供する。本方法は、図３に示されている実施形態に基づいて実装される。たとえば、本方法は、図３に示されている実施形態におけるステップ３０１から３０４およびステップ３０６を継承する。本方法では、図３に示されている実施形態におけるステップ３０５は、ステップ３０５’と交換され、ステップ３０６の前に、本方法は、詳細が以下のようであるステップ３０５’ａから３０５’ｃをさらに含む。
【０１７６】
３０５’。ＭＡＣの検証が成功したとき、ＣＰ機能エンティティは、ターゲットＲＡＮに第４のメッセージを送信し、第４のメッセージは、ＵＥの識別子と、ソースＲＡＮのトークン（ｔｏｋｅｎ）と、ソースＲＡＮの識別子を含む。
【０１７７】
トークンは、ＣＰ機能エンティティによってソースＲＡＮに割り振られ、トークンは、ランダムに生成され得るか、またはプリセットされたパラメータに基づいて生成され得る。
【０１７８】
特に、ソースＲＡＮのトークンとソースＲＡＮの識別子の両方は、ＣＰ機能エンティティに事前記憶され、ＵＥの識別子との関連付け関係を有し得る。ＭＡＣの検証が成功したとき、ＣＰ機能エンティティは、ＵＥの識別子に基づいてソースＲＡＮのものであるトークンおよび識別子を見つける。明らかに、ソースＲＡＮのトークンが、プリセットされたパラメータに基づいて生成されるとき、ソースＲＡＮのトークンは、ＣＰ機能エンティティに事前記憶されるのではなく、ＭＡＣの検証が成功したとき、プリセットされたパラメータに基づいて、ＣＰ機能エンティティによって生成され得る。これは限定されない。
【０１７９】
３０５’ａ。ターゲットＲＡＮは、ＣＰ機能エンティティによって送信された第４のメッセージを受信し、第４のメッセージ中のソースＲＡＮの識別子に基づいて、トークンとＵＥの識別子とをソースＲＡＮに送信する。
【０１８０】
３０５’ｂ。ソースＲＡＮは、トークンとＵＥの識別子とを受信し、トークンおよび識別子は、ターゲットＲＡＮによって送信される。
【０１８１】
３０５’ｃ。ソースＲＡＮに記憶されたトークンが、ターゲットＲＡＮによって送信されたトークンと同じであるとき、ソースＲＡＮは、ターゲットＲＡＮにＵＥのコンテキストを送信する。
【０１８２】
ソースＲＡＮに記憶されたトークンは、ソースＲＡＮがＣＰ機能エンティティとの第１のリンクを確立したとき、ソースＲＡＮにＣＰ機能エンティティによって送信され得る。たとえば、ソースＲＡＮがＣＰ機能エンティティへのＳ１接続を確立したとき、ＣＰ機能エンティティは、トークンとＵＥの識別子とをソースＲＡＮに送信する。
【０１８３】
対応して、ステップ３０５’が実施されたとき、ターゲットＲＡＮが、ステップ３０６においてＵＥのコンテキストを受信することは、ターゲットＲＡＮによって、ソースＲＡＮによって送信されたＵＥのコンテキストを受信するステップを特に含む。
【０１８４】
上記の実施形態において提供される方法では、ターゲットＲＡＮは、ＵＥによって送信された第１のＭＡＣ生成パラメータとＭＡＣとに基づいて、第２のＭＡＣ生成パラメータとＭＡＣとをＣＰ機能エンティティに送信し、ターゲットＲＡＮは、ＭＡＣに対してＣＰ機能エンティティによって実施された検証が成功したとき、トークンなど、情報をソースＲＡＮに送信する。ソースＲＡＮは、トークンを検証し、トークンの検証が成功したとき、ターゲットＲＡＮにＵＥのコンテキストを送信する。これは、ターゲットＲＡＮによってＵＥのコンテキストを復元する速度を上げるだけでなく、二重検証を通してネットワークセキュリティを改善もする。
【０１８５】
任意選択で、図５Ａおよび図５Ｂに示されている上記の実施形態の実装シナリオでは、ステップ３０６の後に、上記の方法は、以下、
ＣＰ機能エンティティによって、ターゲットＲＡＮにトークンを割り振るステップと、割り振られたトークンをターゲットＲＡＮに送信するステップと
をさらに含む。
【０１８６】
特に、ターゲットＲＡＮは、ＣＰ機能エンティティにＳ１経路切替え要求（Ｓ１  ｐａｔｈ  ｓｗｉｔｃｈ  ｒｅｑｕｅｓｔ）を送信し得、ＣＰ機能エンティティは、ターゲットＲＡＮにトークンを割り振り、Ｓ１経路切替え要求肯定応答（Ｓ１経路切替え要求ａｃｋ）を使用することによって、割り振られたトークンをターゲットＲＡＮに送信する。
【０１８７】
さらに、上記の方法は、以下、
ＣＰ機能エンティティによって、ＵＥの識別子を更新するステップと、ＵＥの更新された識別子をターゲットＲＡＮに送信するステップと
をさらに含む。
【０１８８】
特に、ＣＰ機能エンティティは、ターゲットＲＡＮにＳ１経路切替え要求ａｃｋを送信し得る。
【０１８９】
任意選択で、図５Ａおよび図５Ｂに示されている実施形態の第２の実装シナリオでは、ステップ３０５’ｃは、ソースＲＡＮによって、ソースＲＡＮに記憶されたＵＥのデータをＣＰ機能エンティティに送信するステップをさらに含み得る。
【０１９０】
対応して、上記の方法は、ＣＰ機能エンティティによって、ソースＲＡＮによって送信されたＵＥのデータを受信するステップと、ターゲットＲＡＮを使用することによって、ＵＥの受信データをＵＥに送信するステップとをさらに含む。
【０１９１】
たとえば、ＣＰ機能エンティティは、ダウンリンクＮＡＳ  ＰＤＵをターゲットＲＡＮに送信する。
【０１９２】
上記の実施形態シナリオにおいて提供される方法では、ソースＲＡＮは、ＣＰ機能エンティティを使用することによって、ターゲットＲＡＮにＵＥの受信データを送信し、次いで、ターゲットＲＡＮは、ＵＥの受信データをＵＥに送信する。これは、ＵＥのデータの損失を回避し、データ伝送効率を改善し、ネットワーク伝送信頼性を向上させる。
【０１９３】
代替として、図５Ａおよび図５Ｂに示されている実施形態におけるステップ３０５’ｃおよび３０６は、以下のステップと交換され得る。
【０１９４】
ソースＲＡＮに記憶されたトークンが、ターゲットＲＡＮによって送信されたトークンとは異なるとき、ソースＲＡＮは、ターゲットＲＡＮに指示メッセージを送信し、指示メッセージは、トークンの検証が失敗したか、またはソースＲＡＮが、ＵＥのコンテキストを復元することを拒否したことを示すために使用され、ターゲットＲＡＮは、再確立障害を示すために使用されるメッセージをＵＥに送信する。
【０１９５】
たとえば、ターゲットＲＡＮは、リンク再確立障害の原因をメッセージに追加し、ＵＥに原因を送信し得、したがって、ＵＥは、障害原因を学習し、適時にアクセスポリシーを調整することが可能である。
【０１９６】
任意選択で、図５Ａおよび図５Ｂに示されている実施形態のさらに別の実装シナリオでは、ステップ３０５’ｃは、以下、
ソースＲＡＮによって、ソースＲＡＮに記憶されたＵＥのデータをターゲットＲＡＮに送信するステップ
をさらに含み得る。
【０１９７】
対応して、上記の方法は、ターゲットＲＡＮによって、ソースＲＡＮによって送信されたＵＥのデータを受信するステップをさらに含む。
【０１９８】
特に、ＵＥのデータは、ＮＡＳ  ＰＤＵを使用することによって送信され得、詳細は再び説明されない。
【０１９９】
上記の実装シナリオでは、ソースＲＡＮは、ターゲットＲＡＮにＵＥのデータを直接送信する。これは、ＵＥのデータの伝送経路を短縮し、コアネットワークにおける伝送リソースの浪費を回避し、性能を改善する。
【０２００】
図６に示されているように、実施形態はＵＥを提供する。ＵＥは、図２Ａおよび図２Ｂから図５Ａおよび図５Ｂに示されている実施形態、または図１７Ａおよび図１７Ｂに示されている実施形態のうちのいずれか１つにおけるＵＥの行為を実施するように構成され得、ＵＥは、処理ユニット６０１とトランシーバユニット６０２とを特に含む。
【０２０１】
処理ユニット６０１は、ＮＡＳ完全性鍵と第１のＭＡＣ生成パラメータとに基づいて、ＵＥのＭＡＣを取得するように構成され、第１のＭＡＣ生成パラメータは、ＵＥの識別子を含む。
【０２０２】
トランシーバユニット６０２は、ターゲットＲＡＮに再確立要求メッセージを送信するように構成され、再確立要求メッセージは、ＭＡＣと第１のＭＡＣ生成パラメータとを含む。
【０２０３】
トランシーバユニット６０２は、ターゲットＲＡＮの再確立応答メッセージを受信するようにさらに構成される。
【０２０４】
再確立要求メッセージはＲＲＣ接続再確立要求メッセージであり得る。
【０２０５】
第１のＭＡＣ生成パラメータ、ＵＥの識別子、再確立要求メッセージ、再確立応答メッセージなどについては、図２Ａおよび図２Ｂに示されている実施形態における関連説明を参照し、詳細は再び説明されない。
【０２０６】
特に、処理ユニット６０１は、図２Ａおよび図２Ｂに示されている実施形態におけるステップ２０１１および２０１２を実施するように構成され得、詳細は再び説明されない。
【０２０７】
上記の実施形態において提供されるＵＥは、ターゲットＲＡＮに再確立要求メッセージを送信し、再確立要求メッセージは、第１のＭＡＣ生成パラメータとＭＡＣとを搬送し、したがって、ターゲットＲＡＮは、第２のＭＡＣ生成パラメータとＭＡＣとをＣＰ機能エンティティに送信し、次いで、ＣＰ機能エンティティは、受信された情報に基づいてＭＡＣを検証し、それにより、ＵＥに対する認証を実施し、ネットワークセキュリティを保証する。さらに、ＵＥは、再確立要求メッセージを送信することによって、ＵＥに対する認証を実施するようにＣＰ機能エンティティを間接的にトリガする。これは、ＲＡＵプロシージャを使用することによって、ターゲットＲＡＮへの接続を再確立するために過剰に長い時間が消費されるという従来技術の問題を解決し、ＵＥとネットワークとの間の接続を再確立する速度を上げ、ユーザ体験を改善する。
【０２０８】
図７に示されているように、実施形態はターゲットＲＡＮを提供する。ターゲットＲＡＮは、図２Ａおよび図２Ｂまたは図１７Ａおよび図１７Ｂに示されている実施形態におけるターゲットＲＡＮの行為を実施するように構成され得、ターゲットＲＡＮは、第１の受信ユニット７０１と、送信ユニット７０２と、第２の受信ユニット７０３とを特に含む。
【０２０９】
第１の受信ユニット７０１は、ＵＥによって送信された再確立要求メッセージを受信するように構成され、再確立要求メッセージは、ＵＥのＭＡＣと第１のＭＡＣ生成パラメータとを含み、第１のＭＡＣ生成パラメータは、ＵＥの識別子を含む。
【０２１０】
送信ユニット７０２は、第１の受信ユニット７０１によって受信された再確立要求メッセージに基づいて、ソースＲＡＮに第１のメッセージを送信するように構成され、第１のメッセージは、第２のＭＡＣ生成パラメータとＭＡＣとを含む。
【０２１１】
第２の受信ユニット７０３は、ソースＲＡＮによって送信されたＵＥのコンテキストを受信し、送信ユニット７０２を使用することによって、ＵＥに再確立応答メッセージを送信するように構成される。
【０２１２】
第２のＭＡＣ生成パラメータは、第１のＭＡＣ生成パラメータと同じであり得るか、または第１のＭＡＣ生成パラメータとは異なり得る。たとえば、第２のＭＡＣ生成パラメータは、第１のＭＡＣ生成パラメータとＵＥのターゲットＰＣＩとを含み得る。代替として、第２のＭＡＣ生成パラメータは、ＵＥのソースＰＣＩを除いて、第１のＭＡＣ生成パラメータ中のすべてのパラメータを含む。
【０２１３】
任意選択で、再確立要求メッセージは、ＵＥのソースＰＣＩをさらに含むか、または第１のＭＡＣ生成パラメータは、ＵＥのソースＰＣＩを含む。
【０２１４】
任意選択で、送信ユニット７０２は、ソースＰＣＩに基づいてソースＲＡＮに第１のメッセージを送信するように特に構成される。
【０２１５】
第１のＭＡＣ生成パラメータ、ＵＥのコンテキスト、ＵＥの識別子、再確立応答メッセージなどについては、図２Ａおよび図２Ｂに示されている実施形態における関連説明を参照されたい。
【０２１６】
上記の実施形態において提供されるターゲットＲＡＮは、ＵＥによって送信された再確立要求メッセージを受信し、再確立要求メッセージは、第１のＭＡＣ生成パラメータとＭＡＣとを搬送し、第２のＭＡＣ生成パラメータとＭＡＣとをＣＰ機能エンティティに送信し、したがって、ＣＰ機能エンティティは、受信された情報に基づいてＭＡＣの完全性を検証し、再確立要求メッセージの有効性検証を実施する。これは、再確立要求メッセージが、偽造、改ざん、またはリプレイされるのを防ぎ、ネットワークセキュリティを保証する。さらに、ＭＡＣの検証が成功したとき、ターゲットＲＡＮは、ソースＲＡＮによって送信されたＵＥのコンテキストを受信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【０２１７】
図８に示されているように、実施形態はソースＲＡＮを提供する。ソースＲＡＮは、図２Ａおよび図２Ｂまたは図１７Ａおよび図１７Ｂに示されている実施形態におけるソースＲＡＮの行為を実施するように構成され得、ソースＲＡＮは、受信ユニット８０１と、第１の送信ユニット８０２と、第２の送信ユニット８０３とを特に含む。
【０２１８】
受信ユニット８０１は、ターゲットＲＡＮによって送信された第１のメッセージを受信するように構成され、第１のメッセージは、ＵＥのＭＡＣと第２のＭＡＣ生成パラメータとを含み、第２のＭＡＣ生成パラメータは、ＵＥの識別子を含む。
【０２１９】
第１の送信ユニット８０２は、受信ユニット８０１によって受信された第１のメッセージに基づいて、ＣＰ機能エンティティに第２のメッセージを送信するように構成され、第２のメッセージは、第３のＭＡＣ生成パラメータとＭＡＣとを含む。
【０２２０】
受信ユニット８０１は、ＣＰ機能エンティティによって送信されたＭＡＣの検証結果を受信するようにさらに構成される。
【０２２１】
第２の送信ユニット８０３は、検証結果が、ＭＡＣの検証が成功したことを示すとき、ターゲットＲＡＮにＵＥのコンテキストを送信するように構成される。
【０２２２】
第２のＭＡＣ生成パラメータは、ＮＡＳパラメータおよびＲＲＣパラメータのうちの少なくとも１つをさらに含み得る。ＲＲＣパラメータは、ＵＥのソースＰＣＩを含み得る。
【０２２３】
第３のＭＡＣ生成パラメータは、第２のＭＡＣ生成パラメータと同じであり得るか、または第２のＭＡＣ生成パラメータとは異なり得る。特に、第３のＭＡＣ生成パラメータは、ＵＥの識別子を除いて、第２のＭＡＣ生成パラメータ中のすべてのパラメータを含み得る。さらに、ＵＥのソースＰＣＩがＭＡＣを生成するために使用されるシナリオでは、第２のＭＡＣ生成パラメータがＵＥのソースＰＣＩを含まないとき、第３のＭＡＣ生成パラメータは、ＵＥのソースＰＣＩをさらに含む。
【０２２４】
任意選択で、第１の送信ユニット８０２は、
ＵＥの識別子に基づいてＵＥの第１のリンクの識別子を取得し、第１のリンクは、ソースＲＡＮとＣＰ機能エンティティとの間でＵＥのデータを伝送するために使用され、
第１のリンクを通してＣＰ機能エンティティに第２のメッセージを送信する
ように特に構成される。
【０２２５】
任意選択で、第１の送信ユニット８０２は、ソースＲＡＮに記憶されたＵＥのデータをＣＰ機能エンティティに送信するようにさらに構成される。
【０２２６】
第１のリンク、第１のリンクの識別子、ＵＥの識別子、第２のＭＡＣ生成パラメータなどについては、図２Ａおよび図２Ｂに示されている実施形態における関連説明を参照し、詳細は再び本明細書で説明されないことに留意されたい。
【０２２７】
上記の実施形態において提供されるソースＲＡＮは、ＣＰ機能エンティティによって送信されたＭＡＣの検証結果を受信し、ＭＡＣの検証が成功したとき、ソースＲＡＮは、ターゲットＲＡＮにＵＥのコンテキストを送信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【０２２８】
図９に示されているように、実施形態はＣＰ機能エンティティを提供する。ＣＰ機能エンティティは、図２Ａおよび図２Ｂに示されている実施形態におけるＣＰ機能エンティティの行為を実施するように構成され得、受信ユニット９０１と、検証ユニット９０２と、送信ユニット９０３とを特に含む。
【０２２９】
受信ユニット９０１は、ソースＲＡＮによって送信された第２のメッセージを受信するように構成され、第２のメッセージは、ＵＥのＭＡＣと第２のＭＡＣ生成パラメータとを含み、第２のＭＡＣ生成パラメータは、ＵＥの識別子を含む。
【０２３０】
検証ユニット９０２は、受信ユニット９０１によって受信された第２のメッセージに基づいて、ＭＡＣを検証するように構成される。
【０２３１】
送信ユニット９０３は、ソースＲＡＮにＭＡＣの検証結果を送信するように構成される。
【０２３２】
任意選択で、検証ユニット９０２は、ステップ２０５１および２０５２を実施するように構成され得、
第２のメッセージに基づいてＵＥのＮＡＳ完全性鍵を取得し、
ＮＡＳ完全性鍵と第２のＭＡＣ生成パラメータとに基づいて、ＭＡＣを検証する
ように特に構成される。
【０２３３】
任意選択で、第２のＭＡＣ生成パラメータは、ＮＡＳパラメータおよびＲＲＣパラメータのうちの少なくとも１つをさらに含む。
【０２３４】
代替として、第２のＭＡＣ生成パラメータは、ＮＡＳパラメータおよびＲＲＣパラメータのうちの少なくとも１つと、ＵＥのターゲット物理セル識別子ＰＣＩとをさらに含む。
【０２３５】
ＮＡＳパラメータ、ＲＲＣパラメータ、第２のＭＡＣ生成パラメータ、ＵＥの識別子、第２のメッセージ、およびＭＡＣの検証結果を送信する方式については、図２Ａおよび図２Ｂに示されている実施形態における関連説明を参照し、詳細は再び本明細書で説明されない。
【０２３６】
任意選択で、上記の実施形態の実装シナリオでは、
受信ユニット９０１は、ソースＲＡＮによって送信されたＵＥのデータを受信するようにさらに構成され、
送信ユニット９０３は、ターゲットＲＡＮにＵＥのデータを送信するようにさらに構成される。
【０２３７】
上記の実施形態において提供されるＣＰ機能エンティティは、第２のＭＡＣ生成パラメータに基づいてＭＡＣを検証し、ソースＲＡＮに検証結果を送信し、ターゲットＲＡＮにＵＥのコンテキストを送信するようにソースＲＡＮをトリガする。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。さらに、ＣＰ機能エンティティは、ＭＡＣの完全性を検証し、再確立要求メッセージに対する有効性検証を実施する。これは、再確立要求メッセージが、偽造、改ざん、またはリプレイされるのを防ぎ、ネットワークセキュリティを保証する。
【０２３８】
図１０に示されているように、実施形態は別のターゲットＲＡＮを提供する。ターゲットＲＡＮは、図３から図５Ａおよび図５Ｂに示されている実施形態のうちのいずれか１つにおけるターゲットＲＡＮの行為を実施するように構成され得、第１の受信ユニット１００１と、送信ユニット１００２と、第２の受信ユニット１００３とを特に含む。
【０２３９】
第１の受信ユニット１００１は、ＵＥによって送信された再確立要求メッセージを受信するように構成され、再確立要求メッセージは、ＵＥのＭＡＣと第１のＭＡＣ生成パラメータとを含み、第１のＭＡＣ生成パラメータは、ＵＥの識別子を含む。
【０２４０】
送信ユニット１００２は、第１の受信ユニット１００１によって受信された再確立要求メッセージに基づいて、ＣＰ機能エンティティに第３のメッセージを送信するように構成され、第３のメッセージは、第２のＭＡＣ生成パラメータとＭＡＣとを含む。
【０２４１】
第２の受信ユニット１００３は、ＵＥのコンテキストを受信し、送信ユニット１００２を使用することによって、ＵＥに再確立応答メッセージを送信するように構成される。
【０２４２】
第２のＭＡＣ生成パラメータは、第１のＭＡＣ生成パラメータと同じであるか、または第２のＭＡＣ生成パラメータは、第１のＭＡＣ生成パラメータとＵＥのターゲットＰＣＩとを含む。
【０２４３】
第１のＭＡＣ生成パラメータはＮＡＳパラメータをさらに含み得る。
【０２４４】
第１のＭＡＣ生成パラメータ、第２のＭＡＣ生成パラメータ、ＵＥのコンテキスト、ＵＥの識別子、再確立応答メッセージなどについては、図３に示されている実施形態における関連説明を参照し、詳細は再び説明されない。
【０２４５】
上記の実施形態において提供されるターゲットＲＡＮは、ＵＥによって送信された第１のＭＡＣ生成パラメータとＭＡＣとを受信し、第２のＭＡＣ生成パラメータとＭＡＣとをＣＰ機能エンティティに送信し、したがって、ＣＰ機能エンティティは、ＭＡＣを検証し、それにより、ネットワークセキュリティを保証する。さらに、ＭＡＣの検証が成功した後、ターゲットＲＡＮは、ソースＲＡＮまたはＣＰ機能エンティティによって送信されたＵＥのコンテキストを受信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。
【０２４６】
任意選択で、送信ユニット１００２は、
ＵＥの識別子に基づいてＣＰ機能エンティティの識別子を取得し、
ＣＰ機能エンティティの識別子に基づいてＣＰ機能エンティティに第３のメッセージを送信する
ように特に構成される。
【０２４７】
ＣＰ機能エンティティの識別子はＧＵＭＭＥＩであり得る。
【０２４８】
任意選択で、上記の実施形態の実装シナリオでは、第２の受信ユニット１００３は、
ＣＰ機能エンティティによって送信されたＵＥのコンテキストを受信する
ように特に構成される。
【０２４９】
ＭＡＣに対してＣＰ機能エンティティによって実施された検証が成功したとき、ＣＰ機能エンティティは、ターゲットＲＡＮにＵＥのコンテキストを送信し、ターゲットＲＡＮによってＵＥのコンテキストを復元する速度を上げ、効率を改善する。
【０２５０】
任意選択で、上記の実施形態の実装シナリオでは、第２の受信ユニット１００３は、
ソースＲＡＮによって送信されたＵＥのコンテキストを受信する
ように特に構成される。
【０２５１】
さらに、第２の受信ユニット１００３は、ＣＰ機能エンティティによって送信された第４のメッセージを受信するようにさらに構成され得、第４のメッセージは、ＵＥの識別子と、ソースＲＡＮのトークンと、ソースＲＡＮの識別子を含む。
【０２５２】
送信ユニット１００２は、第２の受信ユニット１００３によって受信されたソースＲＡＮの識別子に基づいて、トークンとＵＥの識別子とをソースＲＡＮに送信するようにさらに構成され得る。
【０２５３】
ネットワークセキュリティは、ＭＡＣおよびトークンの二重検証を通してさらに改善される。
【０２５４】
図１１に示されているように、実施形態は別のソースＲＡＮを提供する。ソースＲＡＮは、図５Ａおよび図５Ｂに示されている実施形態におけるソースＲＡＮの行為を実施するように構成され得、ソースＲＡＮは、受信ユニット１１０１と送信ユニット１１０２とを特に含む。
【０２５５】
受信ユニット１１０１は、ターゲットＲＡＮによって送信されたＵＥの識別子とソースＲＡＮのトークンとを受信するように構成される。
【０２５６】
送信ユニット１１０２は、ソースＲＡＮに記憶されたトークンが、ターゲットＲＡＮによって送信されたトークンと同じであるとき、ターゲットＲＡＮにＵＥのコンテキストを送信するように構成される。
【０２５７】
任意選択で、送信ユニット１１０２は、
ソースＲＡＮに記憶されたトークンが、ターゲットＲＡＮによって送信されたトークンと同じであるとき、ソースＲＡＮに記憶されたＵＥのデータをＣＰ機能エンティティに送信する
ようにさらに構成される。
【０２５８】
トークン、ＵＥの識別子などについては、図５Ａおよび図５Ｂに示されている実施形態における関連説明を参照し、詳細は再び説明されない。
【０２５９】
上記の実施形態において提供されるソースＲＡＮは、トークンの検証が成功したとき、ターゲットＲＡＮにＵＥのコンテキストを直接送信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。さらに、トークンの検証はネットワークセキュリティを保証する。
【０２６０】
図１２に示されているように、実施形態はさらに別のソースＲＡＮを提供する。ソースＲＡＮは、図３または図４Ａおよび図４Ｂに示されている実施形態におけるソースＲＡＮの行為を実施するように構成され得、受信ユニット１２０１と処理ユニット１２０２とを特に含む。
【０２６１】
受信ユニット１２０１は、ＣＰ機能エンティティによって送信された第５のメッセージを受信するように構成され、第５のメッセージは、ＵＥの識別子を含む。
【０２６２】
処理ユニット１２０２は、ＵＥの識別子に基づいてＵＥのコンテキストを削除するように構成される。
【０２６３】
第５のメッセージは、ＣＰ機能エンティティにＵＥのデータを送信することをソースＲＡＮに要求するために使用され得る。
【０２６４】
さらに、ソースＲＡＮは送信ユニット１２０３をさらに含み得る。
【０２６５】
送信ユニット１２０３は、ソースＲＡＮに記憶されたＵＥのデータをＣＰ機能エンティティに送信するように構成される。
【０２６６】
ＵＥの識別子およびＵＥのコンテキストについては、図３または図４Ａおよび図４Ｂに示されている実施形態における関連説明を参照し、詳細は再び説明されない。
【０２６７】
図１３に示されているように、実施形態は別のＣＰ機能エンティティを提供する。ＣＰ機能エンティティは、図３から図５Ａおよび図５Ｂに示されている実施形態のうちのいずれか１つにおけるＣＰ機能エンティティの行為を実施するように構成され得、受信ユニット１３０１と、検証ユニット１３０２と、送信ユニット１３０３とを特に含む。
【０２６８】
受信ユニット１３０１は、ターゲットＲＡＮによって送信された第３のメッセージを受信するように構成され、第３のメッセージは、ＵＥのＭＡＣと第２のＭＡＣ生成パラメータとを含み、第２のＭＡＣ生成パラメータは、ＵＥの識別子を含む。
【０２６９】
検証ユニット１３０２は、受信ユニット１３０１によって受信された第３のメッセージに基づいて、ＭＡＣを検証するように構成される。
【０２７０】
送信ユニット１３０３は、ＭＡＣの検証が成功したとき、ＵＥのコンテキストまたは第４のメッセージをターゲットＲＡＮに送信するように構成され、第４のメッセージは、ＵＥの識別子と、ソースＲＡＮのトークンと、ソースＲＡＮの識別子を含む。
【０２７１】
任意選択で、送信ユニット１３０３は、
ＭＡＣの検証が成功したとき、ソースＲＡＮに第５のメッセージを送信するようにさらに構成され、第５のメッセージは、ＵＥの識別子を含む。
【０２７２】
第５のメッセージは、ＣＰ機能エンティティにＵＥのデータを送信することをソースＲＡＮに要求するために使用され得る。
【０２７３】
任意選択で、受信ユニット１３０１は、
ソースＲＡＮによって送信されたＵＥのデータを受信する
ようにさらに構成される。
【０２７４】
第２のＭＡＣ生成パラメータはＮＡＳパラメータをさらに含む。
【０２７５】
代替として、第２のＭＡＣ生成パラメータは、ＮＡＳパラメータとＵＥのターゲットＰＣＩとをさらに含む。
【０２７６】
ＮＡＳパラメータ、第２のＭＡＣ生成パラメータ、ＵＥの識別子、トークン、ＵＥのコンテキストなどについては、それぞれ、図３から図５Ａおよび図５Ｂに示されている実施形態における関連説明を参照し、詳細は再び説明されないことに留意されたい。
【０２７７】
上記の実施形態において提供されるＣＰ機能エンティティは、第２のＭＡＣ生成パラメータに基づいてＭＡＣを検証し、ＭＡＣの検証が成功した後、ターゲットＲＡＮにＵＥのコンテキストを送信するか、またはＭＡＣの検証が成功した後、ターゲットＲＡＮに第４のメッセージを送信し、したがって、ターゲットＲＡＮは、ソースＲＡＮにトークンを送信し、次いで、ソースＲＡＮは、トークンの検証が成功した後、ターゲットＲＡＮにＵＥのコンテキストを送信する。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。さらに、ＣＰ機能エンティティは、ＭＡＣの完全性を検証し、再確立要求メッセージに対する有効性検証を実施する。これは、再確立要求メッセージが、偽造、改ざん、またはリプレイされるのを防ぎ、ネットワークセキュリティを保証する。
【０２７８】
図１４に示されているように、実施形態はＵＥを提供する。ＵＥは、図２Ａおよび図２Ｂから図５Ａおよび図５Ｂに示されている実施形態、または図１７Ａおよび図１７Ｂに示されている実施形態のうちのいずれか１つにおけるＵＥの行為を実施するように構成され得、ＵＥは、プロセッサ１４０１と、メモリ１４０２と、トランシーバ１４０３とを特に含む。
【０２７９】
メモリ１４０２は、プログラムを記憶するように構成される。
【０２８０】
プロセッサ１４０１は、メモリ１４０２に記憶されたプログラムを実行し、図２Ａおよび図２Ｂから図５Ａおよび図５Ｂに示されている実施形態におけるＵＥの行為を実施するように構成され、詳細は再び説明されない。
【０２８１】
ＵＥは、トランシーバ１４０３を使用することによって、ターゲットＲＡＮに再確立要求メッセージを送信し得、トランシーバ１４０３を使用することによって、再確立応答メッセージを受信し得ることに留意されたい。
【０２８２】
図１５に示されているように、実施形態はＲＡＮを提供する。ＲＡＮは、ソースＲＡＮであり得るか、またはターゲットＲＡＮであり得、プロセッサ１５０１と、メモリ１５０２と、トランシーバ１５０３と、通信インターフェース１５０４とを特に含む。
【０２８３】
メモリ１５０２は、プログラムを記憶するように構成される。
【０２８４】
ＲＡＮがソースＲＡＮであるとき、プロセッサ１５０１は、メモリ１５０２に記憶されたプログラムを実行し、図２Ａおよび図２Ｂから図５Ａおよび図５Ｂに示されている実施形態、または図１７Ａおよび図１７Ｂに示されている実施形態におけるソースＲＡＮの行為を実施するように構成され、詳細は再び説明されない。
【０２８５】
ＲＡＮがターゲットＲＡＮであるとき、プロセッサ１５０１は、メモリ１５０２に記憶されたプログラムを実行し、図２Ａおよび図２Ｂから図５Ａおよび図５Ｂに示されている実施形態、または図１７Ａおよび図１７Ｂに示されている実施形態におけるターゲットＲＡＮの行為を実施するように構成され、詳細は再び説明されない。
【０２８６】
図２Ａおよび図２Ｂから図５Ａおよび図５Ｂに示されている実施形態または図１７Ａおよび図１７Ｂに示されている実施形態において、ターゲットＲＡＮとソースＲＡＮとの間の情報が、通信インターフェース１５０４を使用することによって送信されるかまたは受信されてよく、ソースＲＡＮまたはターゲットＲＡＮとＣＰ機能エンティティとの間の情報が、通信インターフェース１５０４を使用することによって送信されるかまたは受信されてもよいことに留意されたい。
【０２８７】
さらに、ＵＥとターゲットＲＡＮとの間のメッセージ、たとえば、再確立要求メッセージは、トランシーバ１５０３を使用することによって送信されるかまたは受信され得る。
【０２８８】
図１６に示されているように、実施形態は、ＣＰ機能エンティティを提供し、プロセッサ１６０１と、メモリ１６０２と、通信インターフェース１６０３とを特に含む。
【０２８９】
メモリ１６０２は、プログラムを記憶するように構成される。
【０２９０】
プロセッサ１６０１は、メモリ１６０２に記憶されたプログラムを実行し、図２Ａおよび図２Ｂから図５Ａおよび図５Ｂに示されている実施形態におけるＣＰ機能エンティティの行為を実施するように構成され、詳細は再び説明されない。
【０２９１】
図２Ａおよび図２Ｂから図５Ａおよび図５Ｂに示されている実施形態または図１７Ａおよび図１７Ｂに示されている実施形態において、ＣＰ機能エンティティとソースＲＡＮまたはターゲットＲＡＮとの間の情報は、通信インターフェース１６０３を使用することによって送信されるかまたは受信され得ることに留意されたい。
【０２９２】
さらに、実施形態は、ＵＥと、ソースＲＡＮと、ターゲットＲＡＮと、ＣＰ機能エンティティとを含むシステムを提供する。
【０２９３】
任意選択で、シナリオでは、ＵＥは、図２Ａおよび図２Ｂに示されている実施形態におけるＵＥの行為を実施するように構成され、ソースＲＡＮは、図２Ａおよび図２Ｂに示されている実施形態におけるソースＲＡＮの行為を実施するように構成され、ターゲットＲＡＮは、図２Ａおよび図２Ｂに示されている実施形態におけるターゲットＲＡＮの行為を実施するように構成され、ＣＰ機能エンティティは、図２Ａおよび図２Ｂに示されている実施形態におけるＣＰ機能エンティティの行為を実施するように構成される。
【０２９４】
任意選択で、別のシナリオでは、ＵＥは、図３に示されている実施形態におけるＵＥの行為を実施するように構成され、ソースＲＡＮは、図３に示されている実施形態におけるソースＲＡＮの行為を実施するように構成され、ターゲットＲＡＮは、図３に示されている実施形態におけるターゲットＲＡＮの行為を実施するように構成され、ＣＰ機能エンティティは、図３に示されている実施形態におけるＣＰ機能エンティティの行為を実施するように構成される。
【０２９５】
任意選択で、さらに別のシナリオでは、ＵＥは、図５Ａおよび図５Ｂに示されている実施形態におけるＵＥの行為を実施するように構成され、ソースＲＡＮは、図５Ａおよび図５Ｂに示されている実施形態におけるソースＲＡＮの行為を実施するように構成され、ターゲットＲＡＮは、図５Ａおよび図５Ｂに示されている実施形態におけるターゲットＲＡＮの行為を実施するように構成され、ＣＰ機能エンティティは、図５Ａおよび図５Ｂに示されている実施形態におけるＣＰ機能エンティティの行為を実施するように構成される。
【０２９６】
任意選択で、また別のシナリオでは、ＵＥは、図１７Ａおよび図１７Ｂに示されている実施形態におけるＵＥの行為を実施するように構成され、ソースＲＡＮは、図１７Ａおよび図１７Ｂに示されている実施形態におけるソースＲＡＮの行為を実施するように構成され、ターゲットＲＡＮは、図１７Ａおよび図１７Ｂに示されている実施形態におけるターゲットＲＡＮの行為を実施するように構成され、ＣＰ機能エンティティは、図１７Ａおよび図１７Ｂに示されている実施形態におけるＣＰ機能エンティティの行為を実施するように構成される。
【０２９７】
図１７Ａおよび図１７Ｂに示されているように、本発明の実施形態において提供される別のリンク再確立方法は、以下のように詳細に説明される。
【０２９８】
１７０１。ＵＥは、ＮＡＳ完全性鍵と第１のＭＡＣ生成パラメータとに基づいて、ＵＥのＭＡＣを取得する。
【０２９９】
第１のＭＡＣ生成パラメータおよびＭＡＣの取得については、ステップ２０１の関連説明を参照し、詳細は再び説明されない。
【０３００】
１７０２。ＵＥは、ターゲットＲＡＮに再確立要求メッセージを送信し、再確立要求メッセージは、ＭＡＣと第１のＭＡＣ生成パラメータとを含む。
【０３０１】
再確立要求メッセージは、ＵＥとＲＡＮとの間の接続、たとえば、ＲＲＣ接続を再確立することを要求するために使用され得、メッセージは、特に、ＲＲＣ接続再確立要求メッセージであり得る。
【０３０２】
再確立要求メッセージは、ＵＥのソースＰＣＩを搬送する。詳細については、ステップ２０２において提供される方式を参照し、詳細は再び説明されない。
【０３０３】
１７０３。ターゲットＲＡＮは、ＵＥによって送信された再確立要求メッセージを受信し、再確立要求メッセージに基づいてソースＲＡＮに第１のメッセージを送信する。
【０３０４】
第１のメッセージは、第２のＭＡＣ生成パラメータとＭＡＣとを含み、第１のメッセージは、ＵＥのコンテキストを取得するために使用され得、たとえば、第１のメッセージは、ＲＬＦ指示メッセージであり得る。
【０３０５】
第２のＭＡＣ生成パラメータは、第１のＭＡＣ生成パラメータと同じであり得るか、または第１のＭＡＣ生成パラメータとは異なり得る。
【０３０６】
特に、第２のＭＡＣ生成パラメータは、第１のＭＡＣ生成パラメータとＵＥのターゲットＰＣＩとを含み得、ＵＥが、ＵＥのターゲットＰＣＩを使用することによって、ＭＡＣを生成するシナリオに適用され得、第１のＭＡＣ生成パラメータは、ＵＥのターゲットＰＣＩを含まない。代替として、第２のＭＡＣ生成パラメータは、第１のＭＡＣ生成パラメータ中のいくつかのパラメータであり得る。たとえば、第２のＭＡＣ生成パラメータは、ＵＥのソースＰＣＩを除いて、第１のＭＡＣ生成パラメータ中のすべてのパラメータであり得、ＵＥが、ＵＥのソースＰＣＩを使用し、ＭＡＣを生成するシナリオに適用され得る。言い換えれば、第１のＭＡＣ生成パラメータが、ＵＥのものである識別子とソースＰＣＩとであるとき、第２のＭＡＣ生成パラメータは、ＵＥの識別子であり、具体的には、第２のＭＡＣ生成パラメータは、ＵＥのソースＰＣＩを含まない。
【０３０７】
言い換えれば、第２のＭＡＣ生成パラメータは、ＵＥの識別子を含み、第２のＭＡＣ生成パラメータは、ＮＡＳパラメータおよびＲＲＣパラメータのうちの少なくとも１つをさらに含み得る。ＮＡＳパラメータおよびＲＲＣパラメータについては、図２Ａおよび図２Ｂに示されている実施形態を参照し、詳細は再び説明されない。
【０３０８】
ステップ１７０４において、ターゲットＲＡＮが、第１のＭＡＣ生成パラメータ中のＵＥのソースＰＣＩに基づいて、少なくとも２つのＲＡＮを見つけた場合、第１のメッセージは２つのＲＡＮに送信され得ることに留意されたい。言い換えれば、ソースＰＣＩがソースＲＡＮを一意に識別することができないとき、ターゲットＲＡＮは、ソースＰＣＩによって示された複数のＲＡＮに第１のメッセージを別々に送信し得る。この場合、ＵＥの識別子を記憶するＲＡＮのみが、第１のメッセージを受信した後、ＣＰ機能エンティティに第２のメッセージを送信することが可能である。特に、ターゲットＲＡＮによって送信された第１のメッセージを受信したとき、ソースＲＡＮは、検査を通して、ソースＲＡＮが、第１のメッセージ中で搬送されたＵＥの識別子を記憶しているかどうかを決定し得る。ソースＲＡＮが、第１のメッセージ中で搬送されたＵＥの識別子を記憶している場合、ソースＲＡＮは、ＣＰ機能エンティティに第２のメッセージを送信する。詳細については、ステップ１７０４を参照されたい。
【０３０９】
１７０４。ソースＲＡＮは、ターゲットＲＡＮによって送信された第１のメッセージを受信し、第１のメッセージに基づいてＣＰ機能エンティティに第２のメッセージを送信する。
【０３１０】
第２のメッセージは、第３のＭＡＣ生成パラメータとＭＡＣとを含み、第３のＭＡＣ生成パラメータは、第２のＭＡＣ生成パラメータと同じであり得るか、または第２のＭＡＣ生成パラメータとは異なり得る。特に、第３のＭＡＣ生成パラメータは、ＵＥの識別子を除いて、第２のＭＡＣ生成パラメータ中のすべてのパラメータを含み得る。たとえば、第３のＭＡＣ生成パラメータは、ＵＥの識別子を除いて、第２のＭＡＣ生成パラメータ中のすべてのパラメータであり得る。明らかに、ＵＥのソースＰＣＩがＭＡＣを生成するために使用されるシナリオでは、第２のＭＡＣ生成パラメータがＵＥのソースＰＣＩを含まないとき、第３のＭＡＣ生成パラメータは、ＵＥのソースＰＣＩをさらに含み得る。
【０３１１】
特に、例示的なシナリオでは、ステップ１７０１において、ＵＥは、ＮＡＳ完全性鍵と第１のＭＡＣ生成パラメータとに基づいて、ＵＥのＭＡＣを取得し、第１のＭＡＣ生成パラメータは、ＵＥのＳ−ＴＭＳＩおよびＵＥのソースＰＣＩであり、ステップ１７０２において、ＵＥは、ＭＡＣと第１のＭＡＣ生成パラメータとをターゲットＲＡＮに送信し、ステップ１７０３において、ターゲットＲＡＮは、ＭＡＣと第２のＭＡＣ生成パラメータとをソースＲＡＮに送信し、第２のＭＡＣ生成パラメータはＳ−ＴＭＳＩであり、ステップ１７０４において、ソースＲＡＮは、第３のＭＡＣ生成パラメータとＭＡＣとをＣＰ機能エンティティに送信し、第３のＭＡＣ生成パラメータは、ＵＥのソースＰＣＩである。
【０３１２】
さらに、第２のメッセージは、ソースＲＡＮとＣＰ機能エンティティとの間の接続リンクを通して送信され得、これは、本明細書において限定されない。
【０３１３】
ステップ１７０４の詳細な実装については、ステップ２０４の関連説明を参照し、詳細は再び説明されない。
【０３１４】
１７０５。ＣＰ機能エンティティは、ソースＲＡＮによって送信された第２のメッセージを受信し、第２のメッセージに基づいてＭＡＣを検証する。
【０３１５】
第２のメッセージは接続ＵＥ変更要求（Ｃｏｎｎｅｃｔｉｏｎ  ＵＥ  Ｖｅｒｉｆｙ  ｒｅｑｕｅｓｔ）であり得る。
【０３１６】
特に、ステップ１７０５は以下を含み得る。
【０３１７】
１７０５１。ＣＰ機能エンティティは、第２のメッセージに基づいてＵＥのＮＡＳ完全性鍵とＵＥの識別子とを取得する。
【０３１８】
特に、ＣＰ機能エンティティは、第２のメッセージを受信するために使用される第１のリンクを使用することによって、ＵＥのＮＡＳ完全性鍵とＵＥの識別子とを取得し得る。第１のリンクについては、ステップ２０４の説明を参照されたい。
【０３１９】
たとえば、ＣＰ機能エンティティは、第１のリンクを通して第２のメッセージを受信し、ＭＭＥは、第１のリンクに対応するＵＥの識別子を取得し、次いで、ＣＰ機能エンティティは、ＵＥの識別子に基づいてＵＥの記憶されたＮＡＳコンテキストを探索し、ＵＥのＮＡＳ完全性鍵を取得する。
【０３２０】
１７０５２。ＣＰ機能エンティティは、ＮＡＳ完全性鍵と、ＵＥの識別子と、第３のＭＡＣ生成パラメータとに基づいて、ＭＡＣを検証する。
【０３２１】
ステップ１７０５１および１７０５２の実装は、ステップ２０５１および２０５２のものと同様であり、詳細は再び説明されない。
【０３２２】
ステップ１７０４の例示的なシナリオでは、ステップ１７０５１において、ＣＰ機能エンティティは、第２のメッセージに基づいてＵＥのＮＡＳ完全性鍵とＵＥのＳ−ＴＭＳＩとを取得し、ステップ１７０５２において、ＣＰ機能エンティティは、ＮＡＳ完全性鍵と、ＵＥのＳ−ＴＭＳＩと、ＵＥのソースＰＣＩとに基づいて、ＭＡＣを検証する。
【０３２３】
詳細な検証方法は、ステップ２０５２におけるものと同じであり、詳細は再び説明されない。
【０３２４】
１７０６。ＣＰ機能エンティティは、ソースＲＡＮにＭＡＣの検証結果を送信する。
【０３２５】
１７０７。ソースＲＡＮは、ＣＰ機能エンティティによって送信されたＭＡＣの検証結果を受信する。
【０３２６】
１７０８。検証結果が、ＭＡＣの検証が成功したことを示すとき、ソースＲＡＮは、ターゲットＲＡＮにＵＥのコンテキストを送信する。
【０３２７】
ステップ１７０８におけるＵＥのコンテキストは、アクセス層（ａｃｃｅｓｓ  ｓｔｒａｔｕｍ、ＡＳ）セキュリティコンテキスト、たとえば、鍵ＫｅＮＢ＊を含まないことがある。特に、コンテキストは、制御プレーンＣＩｏＴ  ＥＰＳ最適化（ｃｏｎｔｒｏｌ  ｐｌａｎｅ  ＣＩｏＴ  ＥＰＳ  ｏｐｔｉｍｉｚａｔｉｏｎ）ソリューションにおけるＵＥのコンテキストであり得る。これは、本明細書において限定されない。
【０３２８】
特に、ＵＥのコンテキストは、復元ＵＥコンテキスト応答（Ｒｅｔｒｉｅｖｅ  ＵＥ  Ｃｏｎｔｅｘｔ  Ｒｅｓｐｏｎｓｅ）メッセージ中で搬送され得る。
【０３２９】
任意選択で、上記のステップ１７０８は、ソースＲＡＮによって、ソースＲＡＮに記憶されたＵＥのデータをＣＰ機能エンティティに送信するステップをさらに含み得る。この場合、ＵＥのデータは、ＵＥに送信されないＮＡＳ  ＰＤＵであり得る。
【０３３０】
１７０９。ターゲットＲＡＮは、ソースＲＡＮによって送信されたＵＥのコンテキストを受信し、ＵＥに再確立応答メッセージを送信する。
【０３３１】
再確立応答メッセージは、特に、ＲＲＣ接続再確立（ＲＲＣ  Ｃｏｎｎｅｃｔｉｏｎ  Ｒｅ−ｅｓｔａｂｌｉｓｈｍｅｎｔ）メッセージであり得る。
【０３３２】
明らかに、再確立応答メッセージを受信した後、ＵＥは、ＲＲＣ接続再確立完了（ＲＲＣ  Ｃｏｎｎｅｃｔｉｏｎ  Ｒｅ−ｅｓｔａｂｌｉｓｈｍｅｎｔ  Ｃｏｍｐｌｅｔｅ）メッセージをターゲットＲＡＮに送信し得る。この場合、
上記のステップの詳細な実装およびステップにおいて使用される名詞については、図２Ａおよび図２Ｂに示されている実施形態における関連説明を参照し、詳細は再び説明されないことに留意されたい。
【０３３３】
上記の実施形態において提供される方法では、ＵＥは、第１のＭＡＣ生成パラメータとＭＡＣとを含む再確立要求メッセージをターゲットＲＡＮに送信し、ターゲットＲＡＮは、第１のメッセージを使用することによって、および再確立要求メッセージに基づいて、第２のＭＡＣ生成パラメータとＭＡＣとをソースＲＡＮに送信し、ソースＲＡＮは、第１のメッセージに基づいて第３のＭＡＣ生成パラメータとＭＡＣとをＣＰ機能エンティティに送信し、したがって、ＣＰ機能エンティティは、第３のＭＡＣ生成パラメータに基づいてＭＡＣを検証し、ソースＲＡＮに検証結果を送信する。上記の実施形態において述べられた、ターゲットＲＡＮに接続するためにＵＥよって消費される時間を大幅に低減することと、ＣＰ機能エンティティへのＵＥによる接続の再確立におけるシグナリング複雑さを低減することと、ＵＥの電力消費を低減することと、ユーザ体験を改善することとの利点に加えて、第２のＭＡＣ生成パラメータおよび第３のＭＡＣ生成パラメータを低減することによって、メッセージ長が低減されることができ、通信リンクに対する負荷が低減されることができる。
【０３３４】
図１８に示されているように、実施形態はＣＰ機能エンティティを提供する。ＣＰ機能エンティティは、図１７Ａおよび図１７Ｂに示されている実施形態におけるＣＰ機能エンティティの行為を実施するように構成され得、受信ユニット１８０１と、検証ユニット１８０２と、送信ユニット１８０３とを特に含む。
【０３３５】
受信ユニット１８０１は、ソースＲＡＮによって送信された第２のメッセージを受信するように構成され、第２のメッセージは、ＵＥのＭＡＣと第３のＭＡＣ生成パラメータとを含む。
【０３３６】
検証ユニット１８０２は、受信ユニット１８０１によって受信された第２のメッセージに基づいて、ＭＡＣを検証するように構成される。
【０３３７】
送信ユニット１８０３は、ソースＲＡＮにＭＡＣの検証結果を送信するように構成される。
【０３３８】
第３のＭＡＣ生成パラメータは、ＮＡＳパラメータおよびＲＲＣパラメータのうちの少なくとも１つを含む。ＲＲＣパラメータおよびＮＡＳパラメータについては、図２Ａおよび図２Ｂに示されている実施形態における関連説明を参照されたい。
【０３３９】
特に、第３のＭＡＣ生成パラメータは、上記の第２のＭＡＣ生成パラメータと同じであり得るか、または上記の第２のＭＡＣ生成パラメータとは異なり得る。
【０３４０】
任意選択で、検証ユニット１８０２は、ステップ１７０５１および１７０５２を実施するように構成され得、
第２のメッセージに基づいてＵＥのＮＡＳ完全性鍵とＵＥの識別子とを取得し、
ＣＰ機能エンティティによって、ＮＡＳ完全性鍵と、ＵＥの識別子と、第３のＭＡＣ生成パラメータとに基づいて、ＭＡＣを検証する
ように特に構成される。
【０３４１】
任意選択で、第３のＭＡＣ生成パラメータは、ＵＥの識別子をさらに含み得る。この場合、検証ユニット１８０２は、ステップ２０５１および２０５２を実施するように構成され得、詳細は再び説明されない。
【０３４２】
ＮＡＳパラメータ、ＲＲＣパラメータ、第２のＭＡＣ生成パラメータ、ＵＥの識別子、第２のメッセージ、およびＭＡＣの検証結果を送信する方式については、図２Ａおよび図２Ｂに示されている実施形態における関連説明を参照し、詳細は再び本明細書で説明されない。
【０３４３】
任意選択で、上記の実施形態の実装シナリオでは、
受信ユニット１８０１は、ソースＲＡＮによって送信されたＵＥのデータを受信するようにさらに構成され、
送信ユニット１８０３は、ターゲットＲＡＮにＵＥのデータを送信するようにさらに構成される。
【０３４４】
上記の実施形態において提供されるＣＰ機能エンティティは、第３のＭＡＣ生成パラメータに基づいてＭＡＣを検証し、ソースＲＡＮに検証結果を送信し、ターゲットＲＡＮにＵＥのコンテキストを送信するようにソースＲＡＮをトリガする。したがって、ターゲットＲＡＮは、ＲＲＣ接続の確立が完了される前に、ＵＥのコンテキストを正常に取得し、ＵＥは、ＴＡＵプロシージャを開始する必要なしに、ターゲットＲＡＮに接続する。これは、ターゲットＲＡＮに接続するためにＵＥよって消費される時間を大幅に低減し、ＣＰ機能エンティティへのＵＥによる接続の再確立におけるシグナリング複雑さを低減し、ＵＥの電力消費を低減し、ユーザ体験を改善する。さらに、ＣＰ機能エンティティは、ＭＡＣの完全性を検証し、再確立要求メッセージに対する有効性検証を実施する。これは、再確立要求メッセージが、偽造、改ざん、またはリプレイされるのを防ぎ、ネットワークセキュリティを保証する。
【０３４５】
当業者は、方法実施形態のステップのうちの全部または一部が、関連するハードウェアに命令するプログラムによって実行され得ることを理解し得る。プログラムは、コンピュータ可読記憶媒体に記憶され得る。プログラムが動作するとき、方法実施形態のステップは実施される。上記の記憶媒体は、ＲＯＭ、ＲＡＭ、磁気ディスク、または光ディスクなど、プログラムコードを記憶することができる任意の媒体を含む。
【０３４６】
最後に、上記の実施形態は、本発明を限定するのとは異なり、本発明の技術的解決策について説明するものにすぎないことに留意されたい。本発明は、上記の実施形態に関して詳細に説明されたが、当業者は、彼らが、依然として、本発明の実施形態の技術的解決策の範囲から逸脱することなく、上記の実施形態において説明された技術的解決策に対して変更を行うか、またはそれらのいくつかの技術的特徴に対して等価交換を行い得ることを理解すべきである。
【図１】
2020503787.tif 000003
【図２Ａ】
2020503787.tif 000004
【図２Ｂ】
2020503787.tif 000005
【図３】
2020503787.tif 000006
【図４Ａ】
2020503787.tif 000007
【図４Ｂ】
2020503787.tif 000008
【図５Ａ】
2020503787.tif 000009
【図５Ｂ】
2020503787.tif 000010
【図６】
2020503787.tif 000011
【図７】
2020503787.tif 000012
【図８】
2020503787.tif 000013
【図９】
2020503787.tif 000014
【図１０】
2020503787.tif 000015
【図１１】
2020503787.tif 000016
【図１２】
2020503787.tif 000017
【図１３】
2020503787.tif 000018
【図１４】
2020503787.tif 000019
【図１５】
2020503787.tif 000020
【図１６】
2020503787.tif 000021
【図１７Ａ】
2020503787.tif 000022
【図１７Ｂ】
2020503787.tif 000023
【図１８】
2020503787.tif 000024
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって、前記ＵＥのメッセージ認証コード（ＭＡＣ）を、非アクセス層（ＮＡＳ）完全性鍵と第１のＭＡＣ生成パラメータとに基づいて取得するステップと、
前記ＵＥによって、ターゲット無線アクセスノード（ＲＡＮ）に再確立要求メッセージを送信するステップであって、前記再確立要求メッセージは、前記ＭＡＣと第２のＭＡＣ生成パラメータとを備える、ステップと、
前記ＵＥによって、前記ターゲットＲＡＮから再確立応答メッセージを受信するステップと
を含むリンク再確立方法。
【請求項２】
前記第１のＭＡＣ生成パラメータは、ＮＡＳカウントを備え、前記第２のＭＡＣ生成パラメータは、前記ＮＡＳカウントの部分フィールドを備える請求項１に記載の方法。
【請求項３】
前記再確立要求メッセージは、無線リソース制御ＲＲＣ接続再確立要求メッセージであり、前記再確立応答メッセージは、（ＲＲＣ）接続再確立メッセージである請求項１または２に記載の方法。
【請求項４】
制御プレーン（ＣＰ）機能エンティティによって、ターゲット無線アクセスノード（ＲＡＮ）からの第３のメッセージを受信するステップであって、前記第３のメッセージは、第２のメッセージ認証コード（ＭＡＣ）生成パラメータとユーザ機器（ＵＥ）のＭＡＣとを備える、ステップと、
前記ＣＰ機能エンティティによって、前記第３のメッセージに基づいて前記ＭＡＣを検証するステップと、
前記ＭＡＣの検証が成功したとき、前記ＣＰ機能エンティティによって、前記ターゲットＲＡＮに前記ＵＥのコンテキストを送信するステップと
を含むリンク再確立方法。
【請求項５】
前記第２のＭＡＣ生成パラメータは、非アクセス層（ＮＡＳ）カウントの部分フィールドを備える請求項４に記載の方法。
【請求項６】
前記第２のＭＡＣ生成パラメータは、前記ＵＥの識別子を備え、前記ＣＰ機能エンティティによって、前記第３のメッセージに基づいて前記ＭＡＣを検証する前記ステップは、
前記ＣＰ機能エンティティによって、前記第２のＭＡＣ生成パラメータ中の前記ＵＥの前記識別子に基づいて、前記ＵＥのＮＡＳ完全性鍵を取得するステップと、
前記ＣＰ機能エンティティによって、前記ＵＥの前記ＮＡＳ完全性鍵と前記第２のＭＡＣ生成パラメータとに基づいて、前記ＭＡＣを検証するステップと
を含む請求項４または５に記載の方法。
【請求項７】
前記方法は、
前記ＭＡＣの検証が成功したとき、前記ＣＰ機能エンティティによって、ソースＲＡＮに第５のメッセージを送信するステップであって、前記第５のメッセージは、前記ＣＰ機能エンティティに前記ＵＥのデータを送信することを前記ソースＲＡＮに要求するために使用される、ステップ
をさらに含む請求項４乃至６のいずれか一項に記載の方法。
【請求項８】
前記方法は、
前記ＣＰ機能エンティティによって、前記ソースＲＡＮから前記ＵＥのデータを受信するステップと、
前記ＣＰ機能エンティティによって、前記ターゲットＲＡＮを通して前記ＵＥに前記ＵＥの前記データを送信するステップと
をさらに含む請求項７に記載の方法。
【請求項９】
前記ＣＰ機能エンティティは、モビリティ管理エンティティ（ＭＭＥ）である請求項４乃至８のいずれか一項に記載の方法。
【請求項１０】
ソース無線アクセスノード（ＲＡＮ）によって、制御プレーン（ＣＰ）機能エンティティからの第５のメッセージを受信するステップであって、前記第５のメッセージは、前記ＣＰ機能エンティティにユーザ機器（ＵＥ）のデータを送信することを前記ソースＲＡＮに要求するために使用される、ステップと、
前記ソースＲＡＮによって、前記ソースＲＡＮに記憶された前記ＵＥのデータを前記ＣＰ機能エンティティに送信するステップと
を含むリンク再確立方法。
【請求項１１】
前記第５のメッセージは、前記ＵＥの識別子を備え、前記方法は、
前記ソースＲＡＮによって、前記ＵＥの前記識別子に基づいて前記ＵＥのコンテキストを削除するステップ
をさらに含む請求項１０に記載の方法。
【請求項１２】
前記ＣＰ機能エンティティは、モビリティ管理エンティティ（ＭＭＥ）である請求項１０または１１に記載の方法。
【請求項１３】
制御プレーン（ＣＰ）機能エンティティとターゲット無線アクセスノード（ＲＡＮ）とを備える通信システムであって、
前記ターゲットＲＡＮは、ユーザ機器（ＵＥ）から再確立要求メッセージを受信し、前記再確立要求メッセージに基づいて前記ＣＰ機能エンティティに第３のメッセージを送信するように構成され、前記再確立要求メッセージは、第２のメッセージ認証コード（ＭＡＣ）生成パラメータと前記ＵＥのＭＡＣとを備え、前記第３のメッセージは、前記第２のＭＡＣ生成パラメータと前記ＭＡＣとを備え、
前記ＣＰ機能エンティティは、前記ターゲットＲＡＮから前記第３のメッセージを受信し、前記第３のメッセージに基づいて前記ＭＡＣを検証し、前記ＭＡＣの検証が成功したとき、前記ターゲットＲＡＮに前記ＵＥのコンテキストを送信するように構成され、
前記ターゲットＲＡＮは、前記ＵＥの前記コンテキストを受信し、前記ＵＥに再確立応答メッセージを送信するようにさらに構成された
通信システム。
【請求項１４】
前記第２のＭＡＣ生成パラメータは、前記ＵＥの識別子を備え、前記第３のメッセージに基づいて前記ＭＡＣを前記検証することは、
前記第２のＭＡＣ生成パラメータ中の前記ＵＥの前記識別子に基づいて、前記ＵＥの非アクセス層（ＮＡＳ）完全性鍵を取得することと、
前記ＵＥの前記ＮＡＳ完全性鍵と前記第２のＭＡＣ生成パラメータとに基づいて、前記ＭＡＣを検証することと
を含む請求項１３に記載の通信システム。
【請求項１５】
前記通信システムは、前記ＵＥをさらに備え、
前記ＵＥは、ＮＡＳ完全性鍵と第１のＭＡＣ生成パラメータとに基づいて、前記ＵＥの前記ＭＡＣを取得し、前記ターゲットＲＡＮに前記再確立要求メッセージを送信するように構成された
請求項１３または１４に記載の通信システム。
【請求項１６】
前記第１のＭＡＣ生成パラメータは、ＮＡＳカウントを備える請求項１５に記載の通信システム。
【請求項１７】
前記第２のＭＡＣ生成パラメータは、前記ＮＡＳカウントの部分フィールドを備える請求項１６に記載の通信システム。
【請求項１８】
前記再確立要求メッセージは、無線リソース制御（ＲＲＣ）接続再確立要求メッセージであり、前記再確立応答メッセージは、ＲＲＣ接続再確立メッセージである請求項１３乃至１７のいずれか一項に記載の通信システム。
【請求項１９】
前記通信システムは、ソースＲＡＮをさらに備え、
前記ＣＰ機能エンティティは、前記ＭＡＣの検証が成功したとき、前記ソースＲＡＮに第５のメッセージを送信するようにさらに構成され、前記第５のメッセージは、前記ＣＰ機能エンティティに前記ＵＥのデータを送信することを前記ソースＲＡＮに要求するために使用され、
前記ソースＲＡＮは、前記ソースＲＡＮに記憶された前記ＵＥのデータを前記ＣＰ機能エンティティに送信するように構成された
請求項１３乃至１８のいずれか一項に記載の通信システム。
【請求項２０】
前記第５のメッセージは、前記ＵＥの識別子を備え、
前記ソースＲＡＮは、前記ＵＥの前記識別子に基づいて前記ＵＥの前記コンテキストを削除するようにさらに構成された
請求項１９に記載の通信システム。
【請求項２１】
プロセッサと、メモリと、トランシーバとを備える通信装置であって、
前記メモリは、プログラムを記憶するように構成され、
前記プロセッサは、前記メモリに記憶された前記プログラムを実行し、請求項１乃至３のいずれか一項に記載の方法を実装するように構成された、
通信装置。
【請求項２２】
プロセッサと、メモリと、通信インターフェースとを備える通信装置であって、
前記メモリは、プログラムを記憶するように構成され、
前記プロセッサは、前記メモリに記憶された前記プログラムを実行し、請求項４乃至９のいずれか一項に記載の方法を実装するように構成された、
通信装置。
【請求項２３】
プロセッサと、メモリと、通信インターフェースとを備える通信装置であって、
前記メモリは、プログラムを記憶するように構成され、
前記プロセッサは、前記メモリに記憶された前記プログラムを実行し、請求項１０乃至１２のいずれか一項に記載の方法を実装するように構成された、
通信装置。
【請求項２４】
記録されたプログラムを有するコンピュータ読み取り可能な記憶媒体であって、
前記プログラムは、コンピュータに請求項１乃至１２のいずれか一項に記載の方法を実行させる、コンピュータ読み取り可能な記憶媒体。
【請求項２５】
コンピュータに請求項１乃至１２のいずれかに記載の方法を実行させる、プログラム。
【手続補正２】
【補正対象書類名】明細書
【補正対象項目名】０３４０
【補正方法】変更
【補正の内容】
【０３４０】
任意選択で、検証ユニット１８０２は、ステップ１７０５１および１７０５２を実施するように構成され得、
第２のメッセージに基づいてＵＥのＮＡＳ完全性鍵とＵＥの識別子とを取得し、
ＮＡＳ完全性鍵と、ＵＥの識別子と、第３のＭＡＣ生成パラメータとに基づいて、ＭＡＣを検証する
ように特に構成される。
【手続補正３】
【補正対象書類名】図面
【補正対象項目名】図３
【補正方法】変更
【補正の内容】
【図３】
2020503787.tif 000025
【手続補正４】
【補正対象書類名】図面
【補正対象項目名】図４Ａ
【補正方法】変更
【補正の内容】
【図４Ａ】
2020503787.tif 000026
【手続補正５】
【補正対象書類名】図面
【補正対象項目名】図５Ａ
【補正方法】変更
【補正の内容】
【図５Ａ】
2020503787.tif 000027
【国際調査報告】
2020503787.tif 000028
2020503787.tif 000029
2020503787.tif 000030
2020503787.tif 000031